(57)【要約】【課題】球送り装置から発射装置の発射位置に供給される遊技球が不足しないようにする。【解決手段】発射装置６０によって遊技領域１ａに発射された遊技球を回収し、該回収した遊技球を再び発射装置６０に供給するための循環経路を備えた封入式遊技機１００は、循環経路内の遊技球を揚送部材２３０によって揚送しながら球磨き部材２６１によって磨くことが可能な球磨き装置２５０と、循環経路内を移動してきた遊技球を球送りレバー６４によって発射装置６０の発射位置に供給することが可能な球送り手段と、を備える。球磨き装置２５０による遊技球の揚送速度は球送り手段による遊技球の供給速度よりも速くなるように設定されている。【選択図】図７
2014128564.tif 000002
【特許請求の範囲】
【請求項１】
発射装置によって遊技領域に発射された遊技球を回収し、該回収した遊技球を再び前記発射装置に供給するための循環経路を備えた封入式遊技機において、
前記循環経路内の遊技球を揚送部材によって揚送しながら球磨き部材によって磨くことが可能な球磨き手段と、
前記循環経路内を移動してきた遊技球を球送り部材によって前記発射装置の発射位置に供給することが可能な球送り手段と、を備え、
前記球磨き手段による遊技球の揚送速度を前記球送り手段による遊技球の供給速度よりも速くなるように設定したことを特徴とする封入式遊技機。
【請求項２】
前記球磨き手段により揚送されて前記循環経路内を移動してきた遊技球が待機する待機流路と、
前記待機流路に所定量の遊技球が待機していることを検出することが可能な待機球検出手段と、を備え、
前記待機球検出手段によって所定量の遊技球が待機していることが検出された場合には、前記球磨き手段による遊技球の揚送を停止することを特徴とする請求項１に記載の封入式遊技機。
【発明の詳細な説明】
【技術分野】
【０００１】
本発明は、発射装置によって遊技領域に発射された遊技球を回収し、該回収した遊技球を再び前記発射装置に供給するための循環経路を備えた封入式遊技機に関する。
【背景技術】
【０００２】
従来、遊技機内に所定数の遊技球を封入し、発射位置（発射装置）から遊技領域に遊技球を発射し、遊技領域を流下した遊技球を回収して再び発射位置に導いて遊技球を循環使用する封入式遊技機が知られている。この種の遊技機においては、揚送装置によって遊技球の循環経路内の遊技球を揚送し、循環経路内を移動してきた遊技球を球送り装置によって発射装置の発射位置に供給するようになっている（例えば、特許文献１参照）。
【先行技術文献】
【特許文献】
【０００３】
【特許文献１】特開２００２−２０４８８２号公報
【発明の概要】
【発明が解決しようとする課題】
【０００４】
しかしながら、従来の封入式遊技機においては、球送り装置から発射装置の発射位置に供給される遊技球が不足する場合があった。
本発明の目的は、発射装置によって遊技領域に発射された遊技球を回収し、該回収した遊技球を再び前記発射装置に供給するための循環経路を備えた封入式遊技機において、球送り装置から発射装置の発射位置に供給される遊技球が不足しないようにすることである。
【課題を解決するための手段】
【０００５】
以上の課題を解決するため、請求項１に記載の発明は、発射装置によって遊技領域に発射された遊技球を回収し、該回収した遊技球を再び前記発射装置に供給するための循環経路を備えた封入式遊技機において、
前記循環経路内の遊技球を揚送部材によって揚送しながら球磨き部材によって磨くことが可能な球磨き手段と、
前記循環経路内を移動してきた遊技球を球送り部材によって前記発射装置の発射位置に供給することが可能な球送り手段と、を備え、
前記球磨き手段による遊技球の揚送速度を前記球送り手段による遊技球の供給速度よりも速くなるように設定したことを特徴とする。
また、請求項２記載の発明は、請求項１に記載の封入式遊技機において、
前記球磨き手段により揚送されて前記循環経路内を移動してきた遊技球が待機する待機流路と、
前記待機流路に所定量の遊技球が待機していることを検出することが可能な待機球検出手段と、を備え、
前記待機球検出手段によって所定量の遊技球が待機していることが検出された場合には、前記球磨き手段による遊技球の揚送を停止することを特徴とする。
【発明の効果】
【０００６】
本発明によれば、球送り装置から発射装置の発射位置に供給される遊技球が不足しないようにすることが可能となる。
【図面の簡単な説明】
【０００７】
【図１】本発明を適用した一実施の形態の構成を示す封入球式遊技機のクリア部材保持枠、発射操作ユニットを取り外した状態の正面図である。
【図２】封入球式遊技機の裏面図であって、制御装置の一部を取り外した状態を示す図である。
【図３】封入球式遊技機の裏面図である。
【図４】封入球循環装置の裏面図である。
【図５】封入球循環装置の裏面側から見た斜視図である。
【図６】封入球循環装置の前面側から見た斜視図である。
【図７】封入球循環装置の裏面側から見た分解斜視図である。
【図８】流路ユニットと静電気除去手段の裏面側から見た斜視図である。
【図９】流路ユニットの前面側から見た斜視図である。
【図１０】流路ユニットと静電気除去手段の裏面側から見た分解斜視図である。
【図１１】流路ユニットと静電気除去手段の前面側から見た分解斜視図である。
【図１２】流路ユニットと静電気除去手段の前面側から見た分解斜視図である。
【図１３】静電気除去手段の前面側から見た斜視図である。
【図１４】揚送装置の裏面図である。
【図１５】揚送装置の裏面図であって、下部誘導部、揚送部、上部誘導部を図示したものである。
【図１６】揚送装置の裏面側から見た斜視図である。
【図１７】動力伝達装置を示す図である。
【図１８】動力制御手段を説明するための図であって、（ａ）係合部の傾斜部と被係合部が当接した状態を示す図、（ｂ）係合部が被係合部の上側に位置する状態を示す図、（ｃ）係合部の係合段部と被係合部が係合した状態を示す図である。
【図１９】球磨き装置の裏面図である。
【図２０】球磨き装置の正面図である。
【図２１】球磨き装置の前面側から見た分解斜視図である。
【図２２】撓み防止手段の前面側から見た斜視図である。
【図２３】撓み防止手段、押圧手段、巻き取り手段の側面から見た図であって、遊技機の使用時の状態を示す図である。
【図２４】撓み防止手段、押圧手段、巻き取り手段の側面から見た図であって、球磨き部材の巻き取り時の状態を示す図である。
【図２５】巻き取りリールの分解斜視図である。
【図２６】巻き取りリールと係合部の側面図であって、球磨き装置の使用時における状態を示す図である。
【図２７】巻き取りリールと係合部の側面図であって、球磨き装置の使用時とは逆向きにした状態を示す図である。
【発明を実施するための形態】
【０００８】
以下、この発明の実施形態について、図面を参照して説明する。
本実施形態の遊技機は、本発明をパチンコ遊技機としての封入式遊技機（以下、封入球式遊技機とも称する）に応用したものであり、例えば、遊技内容等は、従来のパチンコ遊技機と同様とすることが可能となっていると共に、外形等のサイズも同様となっており、パチンコ遊技店の現状の島設備に設置可能となっているが、島設備の球供給機構や球排出機構を用いることがないものとなっている。すなわち、封入球式遊技機は、予め封入された遊技球を用いる。また、封入球式遊技機は、例えば、台間機（球貸機）等への現金の投入等により発生する遊技価値情報（例えば、金額情報）を入力され、遊技価値情報を遊技に使用可能な遊技球数（遊技媒体数）である持球数のデータに変換し、このデータに対応して封入された遊技球を遊技領域に発射可能とし、遊技球を発射すると発射された遊技球数に対応して持球数のデータを減算するようになっている。また、発射された遊技球が各種入賞口や変動入賞装置等の入賞具に入賞して賞球（遊技球）が発生した場合は、実際の遊技球を払い出すことなく、前記持球数のデータに賞球数が加算されるようになっている。また、持球数のデータが０となると、遊技球の発射ができない状態となる。この状態で遊技価値情報としての金額情報や貯球された遊技媒体数の情報等を遊技媒体数のデータに変換すると、持球数のデータに変換された遊技媒体数のデータが加算され、再び遊技球の発射が可能となる。
【０００９】
すなわち、封入球式遊技機は、遊技者の保有する持球数により遊技可能になり、前記発射により持球数から減算処理し、遊技球の入賞により持球数に加算処理するものである。また、発射された遊技球は、遊技領域に至って一部は、入賞領域に入賞して遊技盤の裏面側に導かれてセーフ球として回収されると共に、残りの入賞しなかった遊技球はアウト球として回収され、これら回収された遊技球が循環流路を通って再び発射可能な状態となるようになっており、遊技球は封入球式遊技機内で循環するようになっている。また、ファールとなった遊技球も循環流路に回収されると共に、ファールとなった遊技球は遊技に係わることなく（入賞の機会を得ることなく）、回収されて再び発射可能とされるので、ファール球の発生に基づき、遊技価値情報の持球数のデータにファール球数が加算される。
【００１０】
よって、封入球式遊技機では、出球数、入球数、差球数、持球数等は、実際の遊技球の個数ではなく、データ上の数値となる。すなわち、実際に使用される遊技球は、循環使用される限られた所定数（例えば、３５個）しかなく、例えば、遊技領域に発射される遊技球を検知してカウントした発射球数、発射されたが戻ってしまった遊技球を検知してカウントしたファール球数、遊技領域に発射されて回収された遊技球を検知してカウントした回収球数、入賞した場合の賞球数、遊技店から借りた球貸数等の数値から入球数、出球数、差球数、持球数が得られる。
【００１１】
なお、遊技領域を覆うクリア部材保持枠を開放して遊技球が外に出てしまう等のトラブルがない限り、発射球数＝ファール球数＋回収球数（回収球数がファール球数を含まない場合）となる。そして、入球数＝回収球数＝発射球数−ファール球数となり、出球数＝賞球数＝入球数−球貸数（再プレイ球数）＋持球数となり、持球数＝球貸数（もしくは再プレイ球数）＋出球数−入球数、入球数−出球数＝差球数、持球数＝球貸数（もしくは再プレイ球数）−差球数となる。以上のように封入球式遊技機による遊技は、完全にデータ上の数値として行われることになり、遊技球をこぼしたり、遊技球を下皿や上皿に残したりすることによる誤差が生じることがなく、整数単位で確実に管理可能となる。
【００１２】
図１から３に示すように、本実施形態の封入球式遊技機１００は、矩形枠状に構成された本体枠１１０と、該本体枠１１０に回動可能に軸支された矩形状の前面枠１２０を備える。この矩形枠状の本体枠１１０は、前面側から見た左側の一辺が金属製とされ、その他の辺は木製となっている。これによって、前面側から見て左側の一辺においては、強度を保ったまま厚みを薄くできるようになっている。また、本体枠における前面側から見た左側の部分には、前面枠１２０を回動可能に軸支し、扉状に開閉自在とする金属製のヒンジ部１１１，１１１が設けられている。なお、本体枠１１０の金属製の部分とヒンジ部１１１，１１１は電気的に接続するようになっている。
【００１３】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠（図示略）と、前面枠本体１３０の前面のクリア部材保持枠の下側に取り付けられた発射操作ユニット（図示略）とを有する。
【００１４】
前面枠本体１３０は、矩形枠状の本体枠１１０の前面側をちょうど覆うような概略矩形板状に構成されるとともに、その中央から上端部にわたる部分に、遊技盤１を嵌め込んで収容するための方形状の開口部１３３が形成されている。そして、前面枠本体１３０に収容された遊技盤１の前面が前面枠本体１３０の開口部１３３から前側に臨むようになっている。すなわち遊技盤１は、前面枠本体１３０に嵌め込まれることで前面枠１２０に取り付けられている。
【００１５】
また、前面枠本体１３０の遊技盤１が嵌め込まれた開口部１３３、すなわち、前面枠本体１３０の中央より少し下側から上端部に渡る部分を覆うようにクリア部材保持枠（図示略）が配置されている。そして、遊技盤１の前面と前記クリア部材保持枠に嵌め込まれたガラス板の裏面との間であって、遊技盤１の前面に設けられた遊技領域区画壁２に囲まれた部分が、遊技球が発射されて流下する遊技領域１ａとされている。また、前面枠本体１３０の前面側であって、クリア部材保持枠の下側には、遊技者が発射操作を行うための操作部などを備えた発射操作パネル（図示略）が配置されている。
【００１６】
前面枠本体１３０の一方の側部（前面側から見た左側部）には、本体枠１１０に設けられたヒンジ部１１１，１１１に軸支される金属製のヒンジ受部１３１，１３１が設けられている。このヒンジ受部１３１，１３１はヒンジ部１１１，１１１と電気的に接続するようになっている。また、前面枠本体１３０の一方の側部（前面側から見た左側部）には、クリア部材保持枠、発射操作パネルの一方の側部（前面側から見た左側部）を回動可能に軸支し、扉状に開閉自在とする金属製の前面枠ヒンジ部１３２，１３２，１３２が設けられている。この前面枠ヒンジ部１３２，１３２，１３２のうち、発射操作パネルを軸支する部分を構成する下部ヒンジ部本体１３４は、一部が前面枠本体１３０の裏面に露出するとともに、本体枠１１０のヒンジ部１１１，１１１に軸支されるヒンジ受部１３１と電気的に接続するようになっている。また、前面枠本体１３０及びクリア部材保持枠はそれぞれ周知のパチンコ遊技機等の弾球遊技機と同様に鍵穴１５９にキーを差して回転させることで閉じた状態にロック可能となっている。
【００１７】
また、本体枠１１０の前面であって、前面枠１２０の下方に位置する部分には、各種情報の表示や入力を行う操作ユニット１１２が設けられている。この操作ユニット１１２は、表示装置としてのＬＣＤパネル１１３を有するもので、基本的な機能として、持球数の情報、金額情報（カード等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようにすると共に、遊技者や遊技店の店員等に対してエラーの発生を含む各種情報を表示可能となっている。また、操作ユニット１１２は複数の入力ボタン１１４，１１４，…を備え、表示の切替や、その他の表示内容に対応した入力操作が可能となっている。
【００１８】
また、前面枠本体１３０における遊技盤１を取り付ける開口部１３３の下側には、各種装置を取り付ける金属製の取付盤１３５が設けられている。この金属製の取付盤１３５は、発射操作パネルを軸支する部分を構成する金属製の下部ヒンジ部本体１３４と電気的に接続するようになっている。この取付盤１３５の前面側には、発射装置６０が設けられている。発射装置６０は、発射位置へ遊技球を供給する前方供給流路６１と、遊技球を打撃して発射させる発射杵６３と、発射される遊技球を誘導する発射レール６２等を備え、該発射レール６２が遊技領域１ａの真下に位置するように配されている。そして、発射杵６３を発射モータ（ステッピングモータ）により回転駆動することにより、発射レール６２上の遊技球を打撃して遊技領域１ａへ発射するようになっている。また、この他に取付盤１３５の前面側には、音声を出力するスピーカ１３６や持球数などを表示する表示器１３７、遊技者が操作可能な操作ボタン１３８，１３８などが設けられている。
【００１９】
また、図２に示すように、前面枠本体１３０下部の取付盤１３５の裏面側には、発射装置６０の制御を行う発射制御装置（図示略）、発射装置６０により遊技領域１ａに発射された遊技球を回収して再び発射装置６０に供給する封入球循環装置２００が取り付けられている。この封入球循環装置２００の詳細な構成については後述する。また、遊技盤１に取り付けられた装置を除く、前面枠１２０の例えば、封入球循環装置２００、外部とのデータの通信装置等を制御する第１枠制御装置８０が設けられている。さらに、図３に示すように、第１枠制御装置８０、封入球循環装置２００の裏面側には、封入球式遊技機１００内の各装置に電力を供給する電源供給装置７０や、持球数（遊技球数）の演算、操作ユニットからの入力信号の処理等を行う第２枠制御装置９０が取り付けられている。
【００２０】
図１に示すように、開口部１３３に嵌め込まれた遊技盤１は、各種部材の取付ベースとなる平板状の遊技盤本体１ｂ（木製もしくは合成樹脂製）を備え、該遊技盤本体１ｂの前面に、遊技領域区画壁２で囲まれた遊技領域１ａを有している。また、遊技盤本体１ｂの前面であって遊技領域区画壁２の外側には、前面構成部材３，３，…が取り付けられている。そして、この遊技領域区画壁２で囲まれた遊技領域１ａ内に発射装置６０から遊技球（打球；遊技媒体）を発射して遊技を行うようになっている。
【００２１】
遊技領域１ａ内には、普図始動ゲート４と、普図変動表示ゲームの未処理回数を表示する普図記憶表示器、普図の変動表示ゲームを表示する普図表示器が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器、特図変動表示ゲームを表示する特図表示器９が設けられている。なお、普図記憶表示器、普図表示器、特図記憶表示器、特図表示器９は、遊技状態を表す遊技状態表示ＬＥＤと併せて、セグメントＬＥＤ８として一体に設けられている。
【００２２】
さらに遊技領域１ａには、上端側が手前側に倒れる方向に回動して開放可能になっているアタッカ形式の開閉扉１０ａを有し、補助遊技としての特図変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００２３】
普図始動ゲート４内には、該普図始動ゲート４を通過した遊技球を検出するためのゲートセンサが設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、セグメントＬＥＤ８に設けられた普図記憶表示器にて表示されるようになっている。
【００２４】
普図（普通図柄）変動表示ゲームは、セグメントＬＥＤ８に設けられた普図表示器で実行されるようになっている。なお、変動表示装置２３の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図の変動表示ゲームの始動が容易となる。
【００２５】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイドによって、逆「ハ」の字状に開いて普通変動入賞装置７に遊技球が流入し易い状態（遊技者にとって有利な状態）に変化させられるようになっている。
【００２６】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた始動口センサによって遊技球を検出することに基づき、補助遊技としての特図変動表示ゲームを開始する始動権利が発生するようになっている。
【００２７】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００２８】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、セグメントＬＥＤ８に設けられた特図記憶表示器にて表示されるようになっている。
【００２９】
補助遊技としての特図（特別図柄、識別情報）変動表示ゲームは、セグメントＬＥＤ８に設けられた特図表示器９で実行されるようになっており、複数の識別情報を変動表示したのち、所定の結果態様を停止表示することで行われる。また、変動表示装置２３にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して変動表示装置２３の表示態様も特別結果態様（例えば、「７，７，７」等のゾロ目数字の何れか）となる。なお、遊技機に特図表示器９を備えずに、変動表示装置２３のみで特図変動表示ゲームを実行するようにしても良い。
【００３０】
また、遊技領域１ａの略中央には、特図変動表示ゲームの表示領域となる表示用窓部２１を形成するセンターケース２０が取り付けられている。このセンターケース２０に形成された表示用窓部２１の後方には、変動表示装置２３が配されるようになっている。この変動表示装置２３は、液晶表示パネルを備え、表示内容が変化可能な画像表示面２４がセンターケース２０の表示用窓部２１を介して遊技盤１の前面側から視認可能となるように配されている。なお、変動表示装置２３は、液晶表示パネルを備えるものに限らず、ＥＬ等のディスプレイを備えるものであっても良い。
【００３１】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイドにより駆動される。また、大入賞口の内部（入賞領域）には、該大入賞口に入った遊技球を検出するカウントセンサが配設されている。
【００３２】
また、遊技領域１ａに設けられた各一般入賞口１２には、一般入賞口１２に入った遊技球を検出するための入賞口センサが配設されている。そして、遊技を開始することにより遊技領域１ａ内に打ち込まれた遊技球が、一般入賞口１２，１２，…、普通変動入賞装置７、第１始動入賞口１３、特別変動入賞装置１０等の入賞口の何れかに入賞すると、それぞれの入賞口に対応した所定数の賞球が持球数に加算されるようになっている。
【００３３】
また、図２に示すように、遊技盤１の裏面側には、遊技内容に係わる制御を統括的に行う遊技制御装置３０及びその制御下で遊技の演出に係わる制御を行う演出制御装置５０が設けられている。なお、その他複数の機種で共通使用可能な制御装置は前面枠本体１３０に取り付けられており、遊技盤１を交換することにより、機種に依存する装置（基板）のみが交換され、封入球式遊技機１００の遊技内容を変更することが可能である。
【００３４】
そして、図２，３に示すように、封入球式遊技機１００の裏面側に設けられた各種制御装置によって、遊技の制御がなされるようになっている。遊技盤１の裏面に設けられた遊技制御装置３０は、ＣＰＵ、ＲＡＭ、ＲＯＭ等を有するアミューズチップを備え、特図や普図の変動表示ゲームに関連する各種乱数値などを生成している。各種乱数値には、特図変動表示ゲームの大当り判定用乱数値、普図変動表示ゲームの当たり判定用乱数値などが含まれ、この乱数値に基づいて遊技制御装置３０は、特図や普図の変動表示ゲームの当たり、外れ等のゲームの結果を決定している。
【００３５】
また、遊技制御装置３０には、入出力インターフェースを介して、普通変動入賞装置７と第１始動入賞口１３の内部に設けられた始動口センサ、特別変動入賞装置１０に設けられたカウントセンサ、一般入賞口１２，１２，…に設けられた入賞口センサ、普図始動ゲート４に設けられたゲートセンサが接続され、これらセンサからの遊技球の検出信号が入力されるようになっている。そして、入賞口センサ、始動口センサ、カウントセンサ等の各種入賞口、入賞装置に設けられたセンサからの入力に基づき賞球を発生する。ここで、封入球式遊技機１００においては、封入球式以外のパチンコ遊技機において、賞球としての遊技球の払い出しを制御する排出制御装置に代えて、賞球に関する情報が遊技制御装置３０から第１枠制御装置８０を介して第２枠制御装置９０に出力されるようになっており、第２枠制御装置９０においては、賞球に関する情報に基づいて、持球数に賞球数を加算する演算処理が行われるようになっている。
【００３６】
また、遊技制御装置３０においては、各センサから入力される信号に基づいて、特図及び普図の変動表示ゲームの進行の制御が行われる。また、遊技制御装置３０は、入出力インターフェースを介してソレノイドなどの駆動源を制御し、特図や普図の変動表示ゲームの結果に基づいて、特別変動入賞装置１０や普通変動入賞装置７の開閉を行う。また、遊技制御装置３０は、入出力インターフェースを介して第１枠制御装置８０及び演出制御装置５０などに遊技に関する各種データを遊技機情報として送信している。
【００３７】
演出制御装置５０は、ＣＰＵ、ＲＯＭ、ＲＡＭ等を備えるとともに、ビデオ制御用の各種ＩＣを備え、パチンコ遊技機において周知のものであり、遊技制御装置３０における特図の変動表示ゲームの進行の制御に基づいて、変動表示装置２３における特図の変動表示ゲームの表示制御や、それに伴う遊技盤１等に設けられたランプ、ＬＥＤ等の発光による演出制御等を行う。
【００３８】
第１枠制御装置８０は、ＣＰＵ、ＲＡＭ、ＲＯＭ等と、音データを記憶したＲＯＭや、音信号を生成する音ＬＳＩ、音信号を増幅してスピーカに出力するアンプ、入出力インターフェース等により構成されている。この第１枠制御装置８０においては、封入球循環装置２００の制御や、クリア部材保持枠に設けられたランプ・ＬＥＤ等の電気的発光源の点灯・消灯・発光色の変更等の制御、演出用の音楽、効果音等の制御などを行う。
【００３９】
また、第１枠制御装置８０は、Ｉ／Ｏを介して、封入球循環装置２００に設けられた各センサ（例えば、供給球検出センサ、球量センサ２１５ｄ、回収球センサ２１４ｄ）からの信号が入力されるようになっている。そして、第１枠制御装置８０は、これら各センサからの入力信号や、遊技制御装置３０から入力された賞球に関する情報、貸球操作に関する情報などを含む持球制御情報を第２枠制御装置９０に中継する。また、第１枠制御装置８０は、第２枠制御装置９０で管理される発射可能球数が１以上の場合に発射球の発射を許可し、発射可能球数が０の場合に発射を禁止する制御信号を発射制御装置に出力する。また、第１枠制御装置８０は、Ｉ／Ｏを介して封入球循環装置２００に設けられた揚送部材２３０を駆動するモータ２３３の制御を行う。
【００４０】
第２枠制御装置９０は、ＣＰＵ、ＲＯＭ、ＲＡＭ、入出力インターフェース等を備え、第１枠制御装置８０を介して入力される持球制御情報に基づき、持球数を算出する演算処理を行うようになっている。これにより、第２枠制御装置９０においては、入球数、出球数（賞球数）、差球数、持球数を算出することが可能となる。また、操作ユニット１１２からの入力信号を処理すると共に、操作ユニット１１２のＬＣＤパネル１１３への画像表示を制御する。なお、ＬＣＤパネル１１３には、持球数、金額情報、変動表示ゲームの実行回数、非確変大当り回数、確変大当り回数等のデータが表示される。また、操作ボタン１３８，１３８からの入力信号の処理や、表示器１３７の表示の制御を行う。
【００４１】
発射制御装置は、ＣＰＵ、発射モータのドライバ回路、入出力インターフェースを備えており、入出力インターフェースには、発射操作部、球送り装置が接続され、ドライバ回路には発射モータが接続されている。そして、発射制御装置は、枠制御装置８０からの発射許可の制御信号を受信した状態で、発射操作部の操作に基づく信号レベルにより、発射装置６０における遊技球の発射勢を制御する。また、発射操作部に設けられたタッチセンサにおいて遊技者の手が検出された場合に、発射モータを制御して所定の時間間隔毎に遊技球を順次発射する制御を行う。さらに、発射装置６０による遊技球の発射のタイミングに合わせて、球送り装置の球送りレバー６４を作動させて、前方供給流路６１から発射レール６２に一つずつ遊技球を供給する制御を行う。また、前方供給流路６１には、該前方供給流路６１を流下する遊技球を検出する供給球検出センサが設けられている。なお、供給球検出センサに検出された遊技球は、検出直後に発射装置６０に供給されて発射されるので、供給球検出センサは、発射装置６０の手前側であるが、遊技球の発射を検出する発射球センサも兼ねるものとなっている。
【００４２】
封入球循環装置２００は、所定数の遊技球が封入されており、発射装置６０によって遊技領域１ａに発射された遊技球を回収、循環し、再び発射装置６０に供給するものである。この封入球循環装置２００は、図２に示すように、封入球式遊技機１００の裏面側となる前面枠本体１３０の裏面側に取り付けられている。図４から７に示すように、この封入球循環装置２００は、遊技球の流路を構成する流路構成部材をなす流路ユニット２１０と、遊技球を揚送する揚送部材を有する揚送装置２２０と、該揚送装置２２０により揚送される遊技球を磨く球磨き部材２６１を備える球磨き装置２５０とを備える。そして、流路ユニット２１０が前面枠本体１３０の開口部１３３の下側に形成された取付盤１３５の裏面に配されるようになっており、その裏面に揚送装置２２０が配され、さらに揚送装置２２０の裏面に球磨き装置２５０が配されている。また、揚送装置２２０の揚送部材２３０や流路ユニット２１０内の流路を流下する遊技球の静電気を除去する静電気除去手段２７０を備える。
【００４３】
図４から１２に示すように、流路ユニット２１０は、前側を形成する前壁部材２１１と、後側を形成する後壁部材２１２とから概略箱状に形成されており、上端部に各種の入賞口（特別変動入賞装置１０、一般入賞口１２、普通変動入賞装置７、第１始動入賞口１３）に入賞することなく流下したアウト球および各種の入賞口に入賞し、セーフ球排出経路を流下したセーフ球としての遊技球を回収する回収部２１３が形成されている。また、図１１に示すように、この回収部２１３に連通するように、封入球循環装置２００の内部には回収された遊技球が流下する回収流路２１４が形成されている。この回収流路２１４の下流側端部は、流路ユニット２１０の裏面側に配される後述する揚送装置２２０に形成された揚送路２２１の流入口２２２ａに連通している。また、図１０に示すように、流路ユニット２１０には、揚送装置２２０に形成された揚送路２２１の流出口２２４ａに連通するように、発射装置６０へ遊技球を供給する供給流路２１５が形成されている。すなわち、流路ユニット２１０の回収流路２１４及び供給流路２１５と、揚送装置２２０の揚送路２２１とにより、発射装置６０によって遊技領域１ａに発射された遊技球を回収、循環し、再び発射装置６０に供給する循環経路が形成される。
【００４４】
図１０から１２に示すように、循環経路の一部をなす回収流路２１４、供給流路２１５は、流路ユニット２１０の前壁部材２１１、後壁部材２１２と、前壁部材２１１の後面もしくは後壁部材２１２の前面に垂直に形成された板状の流路形成壁２１６によって形成された筒状の流路で、遊技球の直径よりも若干大きい内径を有し、遊技球が一列に延在方向に沿って重なり流下するようになっている。
【００４５】
図１１，１２に示すように、回収流路２１４は、上流側端部をなす流入口２１４ａが封入球循環装置２００の上端部に開口する回収部２１３に連通し、ここから下方へ左右に蛇行して上下に折り重なるように形成されており、下流側端部をなす流出口２１４ｂは流路ユニット２１０の下面に開口し、揚送路２２１に接続するようになっている。また、回収流路２１４の途中にはセンサ取付部２１４ｃが形成され、ここに流下する遊技球を検出可能な回収球センサ２１４ｄが取り付けられている。この回収球センサ２１４ｄからの遊技球の検出信号に基づき、第１枠制御装置８０において回収した遊技球の数を計数できるようになっている。
【００４６】
図１０に示すように、供給流路２１５は、流路ユニット２１０の裏面に揚送装置２２０の揚送路２２１と接続する流入口２１５ａを備え、ここから中央方向へ向かって下るように形成され、流路ユニット２１０の前面に流出口２１５ｂを備える。この流出口２１５ｂには、前面枠本体１３０に配された発射装置６０に設けられた前方供給流路６１が接続するようになっている。また、供給流路２１５の途中にはセンサ取付部２１５ｃが形成され、ここに流下する遊技球を検出可能な球量センサ２１５ｄが取り付けられている。この球量センサ２１５ｄからの検出信号により、供給流路２１５内に待機する遊技球の不足を検出するようになっている。なお、供給流路２１５および前方供給流路６１には、封入球式遊技機１００の遊技中（遊技球を順次発射し、遊技領域に数個以上の遊技球が流下している状態）及び非遊技中（遊技球を発射していない状態）に係わらず遊技球が待機した状態とされ、遊技球の発射毎に待機していた遊技球が順次遊技球の直径となる距離だけ下方に移動するようになっている。
【００４７】
また、供給流路２１５と前方供給流路６１をあわせた長さは、封入球式遊技機１００内で循環する遊技球の全てを貯留可能な長さとされており、遊技球の発射を止めた状態で、供給流路２１５および前方供給流路６１内に循環使用される遊技球をすべて収容した状態となる。また、循環使用される遊技球の個数は、遊技球を順次発射した際に、遊技球の回収が間に合わずに、遊技の発射ができない状態となることがない個数（例えば、３５個）とされている。
【００４８】
また、前壁部材２１１の下部には、揚送装置２２０の下部を保持する保持部２１７が形成されている。この保持部２１７における揚送装置２２０と対向する裏面側には、揚送装置２２０の前部に形成された係合部２３３ａが係合可能な被係合部２１７ａが形成されている。また、裏面側から見て被係合部２１７ａの左側部には、揚送装置２２０に形成されたファール球受入部２２５を挿通可能な切欠部２１７ｂが形成されている。
【００４９】
また、前壁部材２１１の裏面には、ねじ止め部を有する被接合部２８１が形成され、この被接合部２８１に対応して後壁部材２１２には、前後に貫通するねじ孔を有する接合部２８２が形成されており、ねじによって前壁部材２１１と後壁部材２１２を接合できるようになっている。また、後壁部材２１２の裏面には、揚送装置２２０を取り付けるための被固定部２１９が形成されている。被固定部２１９はねじ止め部を有し、揚送装置２２０に形成された固定部２３９に対応する位置に形成されており、ねじによって揚送装置２２０を固定できるようになっている。
【００５０】
また、後壁部材２１２の裏面には、静電気除去手段２７０を取り付けるための被固定部２８０が形成されている。被固定部２８０はねじ止め部を有し、静電気除去手段２７０の導電性プレート２７１に形成された固定部２７１ｈに対応する位置に形成されており、ねじによって静電気除去手段２７０を固定できるようになっている。また、後壁部材２１２には、流路ユニット２１０を前面枠本体１３０の取付盤１３５に固定するためのユニット固定部２８３が形成され、前壁部材２１１には、ユニット固定部２８３と対応する位置に貫通孔２８４が形成されている。ユニット固定部２８３は、前後に貫通するねじ孔を備えており、このねじ孔に挿通したねじを、貫通孔２８４を通して取付盤１３５に形成されたねじ止め部（図示略）に螺合することで、流路ユニット２１０を取付盤１３５に固定できるようになっている。
【００５１】
図１４から１８に示すように、揚送装置２２０は、揚送路２２１と、遊技球を上方へ揚送するための揚送部材２３０、該揚送部材２３０を駆動する駆動源としてのモータ２３３を備え、回収流路２１４を流下した遊技球を供給流路２１５に揚送するものである。また、揚送装置２２０は、裏面側に配された球磨き装置２５０とともに、揚送する遊技球を磨くようになっている。
【００５２】
揚送路２２１は、回収流路２１４と接続する下部誘導部２２２と、揚送部材２３０が配された揚送部２２３と、供給流路と接続する上部誘導部２２４とを備える。図１５，１６に示すように、下部誘導部２２２は、流路ユニット２１０の下方に開口した回収流路２１４の流出口２１４ｂに接続するように上方に開口した流入口２２２ａを有している。そして、この流入口２２２ａから流入した遊技球を、流路ユニット２１０の裏面へ誘導するように流路ユニット２１０の裏面側へ（後方へ）下るとともに、裏面側から見て右側へ下るように形成されている。この下部誘導部２２２により、流入口２２２ａから流入した遊技球が揚送部２２３の下端部に形成された球導入口２２３ａへ誘導される。
【００５３】
また、図１５に示すように、この下部誘導部２２２における球導入口２２３ａから上流側の所定範囲である導入部２２２ｂの下り傾斜は、この導入部２２２ｂよりも上流側の部分の下り傾斜よりも急な傾斜とされている。これにより、下部誘導部２２２に待機する遊技球の数が少なく、遊技球の自重による傾斜方向への圧力（球圧）が低い場合でも、揚送部２２３に導入された遊技球が回転する揚送部材２３０に接触して下部誘導部２２２に逆戻りすることを防止できる。すなわち、揚送部材２３０（螺旋部材）での遊技球の取り込みがよりスムーズに行え、封入球の循環を効率よく行うことが可能となる。なお、遊技球が揚送部２２３から下部誘導部２２２に逆戻りしないような構成であればよく、例えば段差を設けるようにしてもよい。すなわち、球導入口２２３ａへ向けて下るように形成され、該球導入口２２３ａへ遊技球を誘導する導入経路（下部誘導部２２２）を備え、該導入経路は、球導入口２２３ａから上流側の所定範囲の傾斜が、該所定範囲よりも上流側の部分の傾斜よりも急であることとなる。
【００５４】
また、下部誘導部２２２には、図１６に示すように、回収されたファール球としての遊技球を受け入れ、下部誘導部２２２に誘導するように傾斜したファール球受入部２２５が接続している。このファール球受入部２２５は、揚送装置２２０の前方へ延出するように形成され、流路ユニット２１０の保持部２１７に形成された切欠部２１７ｂを通って、前端部が流路ユニット２１０の前面側に位置するようになっている。発射装置６０には、遊技領域１ａへ向けて発射したにもかかわらず発射装置６０へ戻ってきたファール球としての遊技球を回収するファール球回収部が形成され、ここで回収されたファール球は、ファール球流路を通って前面枠本体１３０の裏面側へ誘導されるようになっている。そして、このファール球流路の下流側端部とファール球受入部２２５の前端は、対向して連通するようになっており、ファール球として回収された遊技球が下部誘導部２２２に誘導されるようになっている。なお、ファール球流路には、流下する遊技球を検出可能なファール球センサが設けられており、このファール球センサからの遊技球の検出信号に基づき、ファール球として回収した遊技球の数を計数できるようになっている。
【００５５】
また、図１５、１６に示すように、上部誘導部２２４は、揚送部２２３の上端に接続し、上方へ揚送された遊技球を裏面側から見て右側へ誘導するように下る流路とされている。この上部誘導部２２４の下流側端部は、流路ユニット２１０の裏面に開口した供給流路２１５の流入口２１５ａに接続するようになっている。
【００５６】
揚送部２２３は裏面側から見て右斜め上方に向かって延在するように形成されており、左下部に下部誘導部２２２の下流側端部が接続し、右上部に上部誘導部２２４の上流側端部が接続している。この揚送部２２３が形成される揚送部形成部２２６は前後に貫通する空間で、前側部分が揚送部２２３内の遊技球を揚送する揚送部材２３０が配される揚送部材配設部２２７とされ、後側部分が、遊技球が通過する揚送部２２３となっている。
【００５７】
揚送部材配設部２２７に配設される揚送部材２３０は、硬い合成樹脂（アラミド樹脂）やセラミックからなり、円柱状の揚送部材本体２３１の周面にらせん状に溝２３２が形成されたスクリュー状の部材（スパイラル歯車状の部材、螺旋部材）である。この揚送部材２３０は、円柱状の揚送部材本体２３１の中心軸が揚送部材配設部２２７の延在方向に沿うように配され、ちょうど揚送部２２３の前側部分に収容されるようになっている。また、らせん状に溝２３２が形成された周面における中心軸に沿った方向の長さは、揚送部２２３と等しい長さとなっている。すなわち、揚送部２２３の前側の側面全体にわたって揚送部材２３０が配されるようになっている。
【００５８】
また、図１７に示すように、揚送部材２３０の上端面からは、円柱状の揚送部材本体２３１の中心軸に沿った回転軸２３１ａが突出している。この回転軸２３１ａの上端部には第一ギア２３１ｂが取り付けられており、揚送部形成部２２６の上方に形成された上部ギアボックス２２８内に配されるようになっている。また、回転軸２３１ａの上端は、上部ギアボックスに形成された軸受部２２８ａに回動可能に軸支されるようになっている。この回転軸に取り付けられた第一ギア２３１ｂは、上部ギアボックス２２８内に配される動力伝達装置２４０の入力軸２４６に取り付けられた第二ギア２４６ａと噛み合うようになっており、後述する巻き取り手段２６０を駆動できるようになっている。
【００５９】
揚送部材２３０の下端部は、揚送部形成部２２６の下側に形成された駆動源取付部２２９に取り付けられた駆動源としてのモータ２３３の駆動軸と接続されており、モータ２３３を駆動することで揚送部材２３０を回転駆動できるようになっている。なお、モータ２３３は、駆動軸が揚送部材２３０の回転軸２３１ａと同一軸上に位置するような向きで取り付けられている。また、モータ２３３の前面には、流路ユニット２１０の前壁部材２１１に形成された保持部２１７の被係合部２１７ａに係合可能な係合部２３３ａが形成されている。
【００６０】
揚送部材２３０の周面に形成されたらせん状の溝２３２は、右ねじと同じ向きに形成されており、下側から見て反時計回り方向に回転することで、揚送部２２３の前側の側面において溝２３２が上方へ移動するようになる。これによって、溝２３２に嵌った遊技球が上方へ揚送される。また、このときのモータ２３３の駆動方向が正方向となる。なお、揚送部材２３０に形成されたらせん状の溝２３２における断面の曲率は、遊技球の曲率と略等しくされて確実に遊技球を保持できるようになっており、後述するように球磨き部材２６１が遊技球に押し付けられた状態でも遊技球を移送できるようになっている。また、ピッチは遊技球の直径よりも広くされており、遊技球を所定の間隔をおいて揚送できるようになっている。
【００６１】
また、揚送部材２３０は導電性を有する材質からなり、揚送部形成部２２６の前側の貫通部から揚送装置２２０の前側に露出している。この前側に露出した部分には、揚送装置２２０の前側に配される導電性プレート２７１に設けられ、揚送部材２３０の静電気を除去する揚送部材静電気除去部材２７２が接触するようになっている。
【００６２】
図１５に示すように、揚送部形成部２２６における揚送部２２３を形成する後方部分のうち、揚送部２２３の下端部となる部分であって、裏面側から見て左側の側面には、下部誘導部２２２からの遊技球を受け入れる球導入口２２３ａが形成されている。そして、この球導入口２２３ａと対向する右側の側面には、下部誘導部２２２を通って揚送部２２３に流入した遊技球を斜め上方へ誘導するように湾曲した下部湾曲部２２３ｃが形成されている。さらに、図１４に示すように、この下部誘導部２２２と揚送部２２３との接続部分における、揚送部形成部２２６の後方の開口を閉鎖するように下部誘導板２３４が取り付けられている。この下部誘導板２３４の前面における揚送部２２３に臨む部分と、揚送部材２３０の周面に形成された遊技球が載るらせん状の溝２３２までの間隔は、遊技球の直径よりやや広い程度とされている。これにより、揚送部２２３に導入された遊技球が確実に溝２３２に嵌るようになっている。
【００６３】
なお、図１５に示すように、下部誘導部２２２から球導入口２２３ａを経て揚送部２２３の下端へ至る流路は下り傾斜とされており、遊技球はこの傾斜に沿って流下し、その後、揚送部材２３０によって上方へ揚送されることとなる。すなわち、揚送部２２３の下端は、下部誘導部２２２とこれに続く揚送部２２３において最も低くなった部分であり、球導入口２２３ａは揚送部２２３の下端よりも上方に位置している。また、球導入口２２３ａは、揚送部材２３０の下端よりも上方に位置するようになっており、球導入口２２３ａから導入された遊技球が確実に揚送部材２３０により揚送されるようになっている。
【００６４】
また、揚送部形成部２２６における揚送部２２３を形成する後方部分のうち、揚送部２２３の上端部となる部分であって、裏面側から見て右側の側面には、揚送部２２３から上部誘導部２２４へ遊技球を導出する球導出口２２３ｂが形成されている。そして、この球導出口２２３ｂと対向する左側の側面には、揚送部２２３により斜め上方へ誘導された遊技球を右側方へ誘導するように湾曲した上部湾曲部２２３ｄが形成されている。さらに、図１４に示すように、この上部誘導部２２４と揚送部２２３との接続部分における、揚送部形成部２２６の後方の開口を閉鎖するように上部誘導板２３５が取り付けられている。
【００６５】
そして、揚送部形成部２２６における揚送部２２３を形成する後方部分のうち、下部誘導板２３４と上部誘導板２３５の間の中央部分は、揚送部２２３が後方に開口する後方開口２３７とされ、この後方開口２３７から揚送部２２３内の遊技球が露出するようになっている。この後方開口２３７には、該後方開口２３７を閉鎖するように、揚送装置２２０の後方に配される球磨き装置２５０に設けられた押圧部材２９１が配されるようになっている。これにより後方開口２３７から露出する遊技球に、押圧部材２９１の前面に配された球磨き部材２６１が当接し、揚送される遊技球が磨かれることとなる。
【００６６】
ここで、図２に示すように、封入球循環装置２００が封入球式遊技機１００の裏面側となる前面枠本体１３０の裏面側に取り付けられた状態では、図１５に示すように、揚送部２２３は遊技盤１の面方向に沿う平面上に位置し、遊技球を導入する球導入口２２３ａが形成された一側部が上向きとなるように鉛直方向に対して所定角度傾斜している。そして、揚送部２２３の裏面側から見て左側の側面に形成された球導入口２２３ａにおける揚送部２２３への遊技球の導入方向は、揚送部２２３が位置する平面上に沿って右斜め下方へ下る方向となっている。すなわち、球導入口２２３ａへの導入方向は、揚送部２２３の揚送方向に沿う平面に沿うとともに球導入口２２３ａを通る鉛直な軸を挟んで揚送部２２３が位置する側と対向する側から球導入口２２３ａに向かって下る方向となっている。
【００６７】
また、揚送部２２３の裏面側から見て右側の側面に形成された球導出口２２３ｂにおける揚送部２２３からの遊技球の導出方向は、揚送部２２３が位置する平面上に沿って右斜め下方へ下る方向となっている。すなわち、球導出口２２３ｂからの導出方向は、揚送部２２３の揚送方向に沿う平面に沿うとともに球導出口２２３ｂを通る鉛直な軸を挟んで揚送部２２３が位置する側と対向する側へ向かって下る方向となっている。
【００６８】
このように、遊技盤１の面方向に沿うように揚送部２２３が所定角度傾斜して配されることで、揚送部材２３０での遊技球の取り込みがスムーズに行え、封入球の循環を効率よく行うことが可能となる。また、球磨きを行うのに十分な揚送部２２３の長さを確保したうえで揚送部材２３０を垂直に配する場合に比べて上下幅を狭くでき、設置スペースを小さくすることができる。また、揚送部２２３への導入方向、導出方向が遊技盤１の面方向に沿うようにされていることで、十分な長さの揚送部２２３を備えた封入球循環装置２００を封入球式遊技機１００の裏面に効率よく配設することが可能となる。また、球導出口２２３ｂからの導出方向および球導入口２２３ａへの導入方向が上述のようになっていることで、揚送部２２３への導入方向および導出方向が、揚送方向に対して折り返すことなく一方向（揚送部２２３が傾斜する左右の一方向）へ向かうこととなるので、遊技球の導入および導出がよりスムーズに行え、封入球の循環を効率よく行うことができる。
【００６９】
なお、揚送部２２３における揚送部材２３０での遊技球の取り込みを容易にするために、揚送部材２３０の溝２３２に突起部や凹部を形成し、遊技球が揺動するようにして一ヶ所に停留しないようにしてもよい。また、揚送部材２３０の螺旋の旋回方向を逆にして、下側から見て時計回り方向に回転することで遊技球を上方へ揚送可能とし、遊技球の導入方向および導出方向を揚送部材２３０の回転方向に合わせて、導入、導出をスムーズにするようにしてもよい。また、揚送部材２３０の螺旋の旋回方向は変えずに、下側から見て反時計回り方向に回転することで遊技球を上方へ揚送可能とし、揚送部２２３を揚送部材２３０の前方に形成することにより、遊技球の導入方向および導出方向を揚送部材２３０の回転方向に合わせて、導入、導出をスムーズにするようにしてもよい。
【００７０】
すなわち、発射装置６０から発射された遊技球を回収し、該回収した遊技球を再び該発射装置６０に供給することで遊技球を循環使用する封入球式遊技機１００において、回収した遊技球を発射装置６０に供給するために上方へ揚送する螺旋部材（揚送部材２３０）を有する揚送装置２２０と、揚送装置２２０により揚送される遊技球が通過する揚送経路（揚送部２２３）と、揚送経路の遊技球を磨く球磨き装置２５０と、を備え、揚送経路は、遊技球を導入する球導入口２２３ａを一側部に備え、球導入口２２３ａが上向きとなるように鉛直方向に対して所定角度傾斜していることとなる。
【００７１】
また、揚送装置２２０および球磨き装置２５０を含む封入球循環装置２００を、揚送経路（揚送部２２３）が遊技盤１の面方向と平行な平面に沿うように、当該封入球式遊技機１００の本体枠１１０の裏面であって遊技領域１ａが形成される遊技盤１の下部に配設し、揚送経路は、遊技球を導出する球導出口２２３ｂを一側部と対向する他側部に備え、該球導出口２２３ｂからの導出方向を、遊技盤１の面方向と平行な平面に沿うとともに球導出口２２３ｂを通る鉛直な軸を挟んで揚送経路が位置する側と対向する側へ向かって下る方向とし、球導入口２２３ａへの導入方向を、遊技盤１の面方向と平行な平面に沿うとともに球導入口２２３ａを通る鉛直な軸を挟んで揚送経路が位置する側と対向する側から球導入口２２３ａに向かって下る方向としたこととなる。
【００７２】
また、後方開口２３７の周縁には、球磨き装置２５０が取り付けられているかを検出する球磨き装置検出スイッチ２３６が設けられている。この球磨き装置検出スイッチ２３６は、揚送部材２３０と平行な軸を中心として後方開口２３７の周縁に近い一端が前後に動作可能とされた可動片２３６ａを有し、可動片２３６ａが前方へ移動した状態ではＯＮとなり、可動片２３６ａが後方へ移動した状態ではＯＦＦとなるようになっている。また、可動片２３６ａは、図示しない付勢部材によって、球磨き装置２５０が配される側である後方へ付勢された状態となっており、外部から力が加わっていない状態では後方へ移動した状態となって球磨き装置検出スイッチ２３６がＯＦＦとなるようになっている。そして、揚送装置２２０に球磨き装置２５０を取り付けることで、球磨き装置２５０の球磨き部２９１ａの前面に配設される球磨き部材２６１が可動片２３６ａを前方へ押圧し、球磨き装置検出スイッチ２３６がＯＮとなるようになっている。すなわち、球磨き装置２５０が所定の位置に取り付けられ、かつ、球磨き部２９１ａの前面に球磨き部材２６１が配設されている場合に球磨き装置検出スイッチ２３６がＯＮとなるようになっている。これにより、球磨き装置２５０が所定の位置に取り付けられていない場合や、球磨き部材２６１が球磨き部２９１ａの前面に配設されていない場合のような異常な状態を検出することができる。
【００７３】
また、図１４，１５に示すように、揚送部２２３に隣接する位置には、モータ２３３の動力を、球磨き装置２５０に設けられた使用済みの球磨き部材２６１を巻き取るための巻き取り手段２６０に伝達する動力伝達装置２４０が設けられている。図１７に示すように、この動力伝達装置２４０は、揚送部２２３に沿って配される伝達軸を備え、該伝達軸は、略中央に設けられた動力制御手段２４１を境に、入力軸２４６と出力軸２４８に別れている。なお、入力軸２４６は上部配設部２４２内に配設され、出力軸２４８は下部配設部２４３内に配設されている。
【００７４】
入力軸２４６は、上端部が上部ギアボックス２２８に形成された軸受部２２８ｂに回動可能に軸支されるとともに、下端部の近傍が動力制御手段２４１内で回動可能に軸支されている。また、入力軸２４６は、その上端部に第二ギア２４６ａが取り付けられており、この上端部が上部ギアボックス２２８内に配され、同じく上部ギアボックス２２８内に配される揚送部材２３０の回転軸に取り付けられた第一ギア２３１ｂと噛み合うようになっている。これにより、モータ２３３が揚送部材２３０を回転駆動するのに伴い、入力軸２４６も回転するようになっている。また、入力軸２４６の下端部には、動力制御手段２４１の一部をなす動力伝達用回転体２４７が取り付けられている。この動力伝達用回転体２４７が取り付けられる入力軸２４６の下端部は、一側面が平面とされて断面が略Ｄ字状に形成されている。そして、動力伝達用回転体２４７には、このように形成された入力軸２４６を挿通可能な略Ｄ字状の挿通穴が形成されている。よって、動力伝達用回転体２４７は、入力軸２４６の軸心方向に移動可能であるとともに入力軸２４６の回転と共に回転するようになっている。
【００７５】
また、出力軸２４８は、下端部が揚送部形成部２２６の裏面側から見た左側に形成された下部ギアボックス２４４に形成された軸受部２４４ａに回動可能に軸支されるとともに、上端部の近傍が動力制御手段２４１内で回動可能に軸支されている。この出力軸２４８の上端部には、入力軸２４６の下端部に設けられた動力伝達用回転体２４７と対向するように、動力制御手段２４１の一部をなす動力受用回転体２４９が取り付けられている。そして後述するように、動力伝達用回転体２４７により動力受用回転体２４９が回転されることで出力軸２４８が回転するようになっている。
【００７６】
また、出力軸２４８の下端部には第三ギア２４８ａが取り付けられている。この第三ギア２４８ａは下部ギアボックス２４４内に配され、同じく下部ギアボックス２４４内に配された第四ギア２４４ｃと噛み合うようになっている。また、下部ギアボックス２４４内には第四ギア２４４ｃと連結し、同じ軸を中心として共に回転する第五ギア２４４ｂが配されており、この第五ギア２４４ｂの一部は下部ギアボックス２４４の裏面から外部に露出している。そして、この第五ギア２４４ｂの一部が露出した下部ギアボックス２４４の裏面には、後述する球磨き装置２５０のギア収納部２５５が配されるようになっており、揚送装置２２０の裏面に球磨き装置２５０を取り付けることでギア収納部２５５に配された第六ギア２６３と噛み合うようになっている。
【００７７】
図１８に示すように、動力制御手段２４１は、動力伝達用回転体２４７と、動力受用回転体２４９とが対向して配されるとともに、動力伝達用回転体２４７の自重により動力伝達用回転体２４７が動力受用回転体２４９に押し付けられるようになっている。動力伝達用回転体２４７は、入力軸２４６の下端部を挿通可能な挿通穴を中心として、挿通穴の延在方向に沿って所定の厚みを有するとともに、挿通穴の延在方向に対して垂直に径方向を有する円盤状の部材である。この動力伝達用回転体２４７における下向きに配される面である動力受用回転体２４９と対向する面２４７ａには、係合部２４７ｂが中心を挟んで対向するように二ヶ所形成されている。
【００７８】
この係合部２４７ｂは、動力伝達用回転体２４７の外周に隣接する位置に周方向に沿って形成されており、モータ２３３の正方向への駆動時における回転方向側の端部は、係合部２４７ｂにおける周方向の中心に向かって突出幅が大きくなるような傾斜面２４７ｃとされている。また、逆方向への駆動時における回転方向側の端部は、略垂直に突出する段状の係合段部２４７ｄとされている。ここで、モータ２３３の正方向への駆動とは、揚送部２２３において遊技球を上方へ揚送するように揚送部材２３０を駆動する方向である。
【００７９】
動力受用回転体２４９は、出力軸２４８の上端部を挿通可能な挿通穴を中心として、挿通穴の延在方向に沿って所定の厚みを有するとともに、挿通穴の延在方向に対して垂直に径方向を有する円盤状の部材である。なお、動力受用回転体２４９の直径は、動力伝達用回転体２４７の直径と等しくなっている。この動力受用回転体２４９における上向きに配される面である動力伝達用回転体２４７と対向する面２４９ａには、被係合部２４９ｂが、中心を挟んで対向するように二ヶ所形成されている。
【００８０】
被係合部２４９ｂは、動力受用回転体２４９の外周に隣接する位置に形成されていて、面２４９ａに対して垂直に突出する略直方体状をしており、周方向に沿って係合部２４７ｂの傾斜面２４７ｃと対向する側の端部２４９ｃは角部が面取りされて曲面となっている。また、係合部２４７ｂの係合段部２４７ｄと対向する側の端部２４９ｄは、角部が直角となった段状に形成され、係合段部２４７ｄと係合可能となっている。なお、入力軸２４６と出力軸２４８は一直線上に位置している。また、係合部２４７ｂと被係合部２４９ｂの回転中心からの距離は等しく、対向して配されることで係合可能となっている。
【００８１】
このような構成を有する動力制御手段２４１は、モータ２３３を駆動して揚送部材２３０を回転させることで第一ギア２３１ｂを介して第二ギア２４６ａが回転し、入力軸２４６と動力伝達用回転体２４７が回転する。このとき、モータ２３３を揚送部２２３において遊技球を上方へ揚送するように揚送部材２３０を駆動する方向である正方向に回転した場合には、動力伝達用回転体２４７は係合部２４７ｂの傾斜面２４７ｃとされた端部が回転方向側となるように回転する。そして、このように動力伝達用回転体２４７が回転することに伴い、動力伝達用回転体２４７に形成された係合部２４７ｂと、対向して配された動力受用回転体２４９に形成された被係合部２４９ｂが動力伝達用回転体の自重により当接する。
【００８２】
このとき、係合部２４７ｂの被係合部２４９ｂと当接する部分が傾斜面２４７ｃとなっていることと、係合部２４７ｂの傾斜面２４７ｃと当接する被係合部２４９ｂの端部２４９ｃが曲面となっていることから、図１８（ａ）に示すように、動力伝達用回転体２４７が入力軸２４６に沿って上方へ案内される。そして、図１８（ｂ）に示すように係合部２４７ｂが被係合部２４９ｂの上側を通過して被係合部２４９ｂを乗り越えることとなる。よって、モータ２３３を正方向に回転した場合には、動力受用回転体２４９が動力伝達用回転体２４７と連動して回転しない。すなわち、遊技球を上方へ揚送する通常の遊技状態においては、下部ギアボックス２４４に動力が伝達されず、巻き取り手段２６０には動力が伝達されないようになっている。
【００８３】
これに対して、モータ２３３を逆方向に回転した場合には、動力伝達用回転体２４７は段状の係合段部２４７ｄとされた端部が回転方向側となるように回転する。そして、このように動力伝達用回転体２４７が回転することに伴い、図１９（ｃ）に示すように、動力伝達用回転体２４７に形成された係合部２４７ｂと、対向して配された動力受用回転体２４９に形成された被係合部２４９ｂが当接する。このとき、係合部２４７ｂの被係合部２４９ｂと当接する係合段部２４７ｄが段状となっていることと、係合部２４７ｂの係合段部２４７ｄと当接する被係合部２４９ｂの端部２４９ｄが直角となった段状となっていることから、係合部２４７ｂと被係合部２４９ｂが係合する。よって、モータ２３３を逆方向に回転した場合には、動力受用回転体２４９の回転に伴い動力伝達用回転体２４７が同じ方向に回転することとなる。すなわち、動力伝達装置２４０を介して下部ギアボックス２４４に動力が伝達され、巻き取り手段２６０を動作するようになっている。
【００８４】
このように、モータ２３３の回転方向を変えることにより、モータ２３３の動力を遊技球の揚送と球磨き部材２６１の交換の両方に利用できるようにしたことで駆動源の数を削減でき、また、１つの駆動源により揚送部材２３０と球磨き部材２６１の各々の駆動制御を簡単な機構で確実に行うことが可能となる。なお、動力制御手段２４１は、上述の機構に限られるものではなく、動力の入力側（入力軸２４６）が所定の一方向に動作（回転）した場合にのみ出力側（出力軸２４８）に動力を伝達する、いわゆるワンウェイクラッチであれば良い。
【００８５】
すなわち、動力制御手段２４１は、駆動源（モータ２３３）の動作に伴って軸心を中心として回転する入力軸２４６と共に回転する動力伝達用回転体２４７と、動力伝達用回転体２４７の下方に対向するように配され、該動力伝達用回転体２４７により回転駆動されることで、球磨き装置２５０へ動力を出力する出力軸２４８を、軸心を中心として回転駆動する動力受用回転体２４９と、を備え、動力伝達用回転体２４７を入力軸２４６の軸心方向に沿って移動可能とし、動力受用回転体２４９と対向する面２４７ａには、駆動源の正方向への駆動時における回転方向側の端部が傾斜面２４７ｃであるとともに逆方向への駆動時における回転方向側の端部が段状の係合段部２４７ｄである係合部２４７ｂを突設し、動力受用回転体２４９の動力伝達用回転体２４７と対向する面２４９ａには、係合部２４７ｂの係合段部２４７ｄと係合可能な被係合部２４９ｂを突設し、駆動源を正方向に駆動した際には、係合部２４７ｂの傾斜面２４７ｃが被係合部２４９ｂに当接して動力伝達用回転体２４７が上方に誘導され、動力受用回転体２４９と係合せずに当該動力伝達用回転体２４７のみが回転し、駆動源を逆方向に駆動した際には、係合部２４７ｂの係合段部２４７ｄと被係合部２４９ｂとが係合し、動力伝達用回転体２４７により動力受用回転体２４９が回転駆動されるように構成したこととなる。
【００８６】
また、図１４に示すように、揚送装置２２０には、ねじ孔を有する固定部２３９が形成され、固定部２３９を流路ユニットに形成された被固定部２１９に固定することで流路ユニット２１０の後方に揚送装置２２０が固定されるようになっている。また、揚送装置２２０の裏面には、球磨き装置２５０を取り付けるための支持部２３８と被固定部２４５が形成されている。被固定部２４５はねじ止め部を有し、球磨き装置２５０に形成された固定部２５７に対応する位置に形成されており、ねじによって球磨き装置２５０を固定できるようになっている。また、支持部２３８は、揚送部２２３の裏面側から見て右側に形成されており、揚送部２２３の延在方向に沿って上方へ延出するように形成された所定の長さを有する支持軸２３８ａ，２３８ａを備える。
【００８７】
図４，５，７，８、１０から１３に示すように、流路ユニット２１０と揚送装置２２０の間には静電気除去手段２７０が配されている。この静電気除去手段２７０は、図１３に示すように、導電性プレート２７１と、揚送部材２３０の静電気を除去する揚送部材静電気除去部材２７２と、回収流路２１４に臨んで回収球の静電気を除去する回収球用静電気除去部材２７３と、供給流路２１５に臨んで供給球の静電気を除去する供給球用静電気除去部材２７４とを備える。
【００８８】
導電性プレート２７１は金属板からなり、後壁部材２１２の裏面と平行に配される平板部２７１ａと、該平板部２７１ａの周囲の所定個所に形成された折り曲げ部２７１ｂ，２７１ｂ，…、各静電気除去部材を取り付ける取付部２７１ｃ，２７１ｄ，２７１ｅ、封入球循環装置２００の外部に接続する接続部２７１ｆとを備える。また、平板部２７１ａには前後に貫通するねじ孔を有する固定部２７１ｈが形成されており、後壁部材２１２の裏面に形成された被固定部２８０にねじによって静電気除去手段２７０を固定できるようになっている。また、平板部２７１ａには前後に貫通するねじ操作用開口２７１ｉが形成されている。このねじ操作用開口２７１ｉは、後壁部材２１２の裏面に形成されたユニット固定部２８３の裏面側に位置する部分に形成されている。上述したように、ユニット固定部２８３は流路ユニット２１０を取付盤１３５に固定するためのねじを挿通する部分であり、このねじ操作用開口２７１ｉを形成したことで、静電気除去手段２７０を取り外さなくても流路ユニット２１０の取り外しが可能となっている。
【００８９】
図４，５に示すように、平板部２７１ａは後壁部材２１２の裏面であって回収部２１３の下方に固定されるようになっており、流路ユニット２１０と揚送装置２２０の間に配されている。この平板部２７１ａの周囲における所定個所には、流路ユニット２１０と対向する前面側に折り曲げられた折り曲げ部２７１ｂ，２７１ｂ，…が形成されている。この折り曲げ部２７１ｂ，２７１ｂ，…は、先端部が流路ユニット２１０の後壁部材２１２の裏面に当接することで、平板部２７１ａを後壁部材２１２から所定間隔離して配設するためのものであり、これにより、後壁部材２１２の裏面に突出した突起部や前壁部材２１１と後壁部材２１２とを接合するためのねじの頭などにかかわらず平板部２７１ａを後壁部材２１２と平行に配設できる。また図１３に示すように、平板部２７１ａの周囲における所定個所には、静電気除去部材を取り付ける取付部として、流路ユニット２１０と対向する前面側へ折り曲げられた回収球用取付部２７１ｃ、供給球用取付部２７１ｄ、揚送装置２２０と対向する裏面側へ折り曲げられた揚送部材用取付部２７１ｅが形成されている。
【００９０】
流路ユニット２１０と対向する前面側に折り曲げられた回収球用取付部２７１ｃ、供給球用取付部２７１ｄは、折り曲げ部２７１ｂ，２７１ｂ，…よりも前方へ延出するようになっている。また、それぞれの下端部から下方へ延出するように導電性の材質からなる（金属製の）ブラシ状の静電気除去部材が設けられている。このブラシ状の静電気除去部材は、導電性の材質からなる可撓性を有する線状の部材が、上下方向に沿って延在する状態で、回収球用取付部２７１ｃ、供給球用取付部２７１ｄの延出方向に並ぶように複数配されることで構成され、垂直方向に沿った接触面を形成している。このような静電気除去部材のうち、回収球用取付部２７１ｃに取り付けられた静電気除去部材が回収球用静電気除去部材２７３であり、供給球用取付部２７１ｄに取り付けられた静電気除去部材が供給球用静電気除去部材２７４である。この静電気除去部材は、可撓性を有するとともにブラシ状に形成されていることから、後述するように流路に配されても遊技球の流下を妨げることがなく、かつ、動作する部材に対する接触効率を高めることができ、確実に広い接触面積で遊技球と接触可能となっている。
【００９１】
図１０から１２に示すように、後壁部材２１２には、回収流路２１４の裏面側であって回収流路２１４の延在方向が略左右方向となっている位置に、前後に貫通する回収流路貫通孔２１４ｅが形成されている。この回収流路貫通孔２１４ｅは縦方向に延在するスリット状で、その上端部は回収流路２１４の上側の壁面より上側に位置し、下端部は回収流路２１４の上側の壁面より下側に位置するようになっている。すなわち、回収流路貫通孔２１４ｅは、上側の壁面の上側から下側へかけて形成されて、回収流路２１４の上側及び内側に位置するようになっている。また、上側の壁面を形成する流路形成壁２１６には、回収流路貫通孔２１４ｅと連通するように前後に延在するスリット状の開口２１４ｆが形成されている。さらに、流路形成壁２１６が形成された後壁部材２１２の前面には、回収流路貫通孔２１４ｅにおける回収流路２１４の上側の壁面より上方に位置する部分を囲むように周囲壁２１４ｇが形成されている。
【００９２】
また、供給流路２１５の裏面側であって供給流路２１５の延在方向が略左右方向となっている位置には、前後に貫通する供給流路貫通孔２１５ｅが形成されている。この供給流路貫通孔２１５ｅも回収流路貫通孔２１４ｅと同様に縦方向に延在するスリット状で、その上端部は供給流路２１５の上側の壁面より上側に位置し、下端部は供給流路２１５の上側の壁面より下側に位置するようになっている。すなわち、供給流路貫通孔２１５ｅは、上側の壁面の上側から下側へかけて形成されて、供給流路２１５の上側及び内側に位置するようになっている。また、上側の壁面を形成する流路形成壁２１６には、供給流路貫通孔２１５ｅと連通するように前後に延在するスリット状の開口２１５ｆが形成されている。さらに、流路形成壁２１６が形成された後壁部材２１２の前面には、供給流路貫通孔２１５ｅにおける供給流路２１５の上側の壁面より上方に位置する部分を囲むように周囲壁２１５ｇが形成されている。
【００９３】
そして、静電気除去手段２７０における回収球用取付部２７１ｃは回収流路貫通孔２１４ｅに対応する位置に形成され、供給球用取付部２７１ｄは供給流路貫通孔２１５ｅに対応する位置に形成されている。よって、平板部２７１ａを所定位置に配設することで、回収球用取付部２７１ｃと回収球用静電気除去部材２７３が回収流路貫通孔２１４ｅに挿入され、供給球用取付部２７１ｄと供給球用静電気除去部材２７４が供給流路貫通孔２１５ｅに挿入されるようになっている。
【００９４】
回収流路貫通孔２１４ｅに挿入された回収球用取付部２７１ｃと回収球用静電気除去部材２７３は、回収球用取付部２７１ｃが回収流路２１４の上側に位置し、回収球用静電気除去部材２７３のみが開口２１４ｆから回収流路２１４内に臨むようになっている。なお、導電性プレート２７１の一部である回収球用取付部２７１ｃは、回収流路貫通孔２１４ｅ及び周囲壁２１４ｇに案内されることで、回収流路２１４の上側の壁面に前後方向に沿って形成された開口２１４ｆの延在方向（前後方向）に沿って配される。これにより、ブラシ状の回収球用静電気除去部材２７３が開口２１４ｆに沿って配されることとなる。開口２１４ｆの延在方向は回収流路２１４における遊技球の流下方向と直交する方向であり、この開口２１４ｆに沿って配される回収球用静電気除去部材２７３は回収流路２１４を横切るように配されて、複数の線状の部材で構成される接触面が流下方向と直交するように配されるので、流下する遊技球と確実に接触することが可能となる。これにより、回収流路２１４を流下する遊技球に帯電していた静電気を除去できる。
【００９５】
また、回収球用静電気除去部材２７３が配される位置は、回収流路２１４の延在方向が略左右方向となっている位置であるので、垂直方向に延在する部分に比べて遊技球の流下速度が遅く、回収球用静電気除去部材２７３と遊技球との接触時間を長くでき、より効率よく静電気を除去できる。このように回収流路２１４に回収球用静電気除去部材２７３を備えることで、球磨き装置２５０が配された揚送装置２２０に遊技球が導入される前に静電気を除去でき、静電気により遊技球に付着していたごみなどを効率よく除去できるようになるので、より球磨きの効果を高めることができる。
【００９６】
なお、回収球用静電気除去部材２７３を回収球センサ２１４ｄよりも上流側に設け、遊技球が回収球センサ２１４ｄを通過する前に静電気を除去するようにすれば、上述の効果に加え、静電気による回収球センサ２１４ｄへの影響を防止することができる。また、ファール球を受け入れるファール球受入部２２５を揚送路２２１（下部誘導部２２２）に接続するようにしたが、このファール球受入部２２５を回収流路２１４における回収球用静電気除去部材２７３が設けられた位置よりも上流側に接続するようにし、ファール球の静電気も除去できるようにしても良い。
【００９７】
供給流路貫通孔２１５ｅに挿入された供給球用取付部２７１ｄと供給球用静電気除去部材２７４は、供給球用取付部２７１ｄが供給流路２１５の上側に位置し、供給球用静電気除去部材２７４のみが開口２１５ｆから供給流路２１５内に臨むようになっている。なお、導電性プレート２７１の一部である供給球用取付部２７１ｄは、供給流路貫通孔２１５ｅ及び周囲壁２１５ｇに案内されることで、供給流路２１５の上側の壁面に前後方向に沿って形成された開口２１５ｆの延在方向（前後方向）に沿って配される。これにより、ブラシ状の供給球用静電気除去部材２７４が開口２１５ｆに沿って配されることとなる。開口２１５ｆの延在方向は供給流路２１５における遊技球の流下方向と直交する方向であり、この開口２１５ｆに沿って配される供給球用静電気除去部材２７４は供給流路２１５を横切るように配されて、複数の線状の部材で構成される接触面が流下方向と直交するように配されるので、流下する遊技球と確実に接触することが可能となる。これにより、供給流路２１５を流下する遊技球に帯電していた静電気を除去できる。
【００９８】
また、供給球用静電気除去部材２７４が配される位置は、供給流路２１５の延在方向が略左右方向となっている位置であるので、垂直方向に延在する部分に比べて遊技球の流下速度が遅く、供給球用静電気除去部材２７４と遊技球との接触時間を長くでき、より効率よく静電気を除去できる。このように供給流路２１５に供給球用静電気除去部材２７４を備えることで、球磨きにより遊技球に帯電した静電気を除去でき、遊技球へのごみなどの付着を防止できて、より球磨きの効果を高めることができる。なお、供給球用静電気除去部材２７４を球量センサ２１５ｄよりも上流側に設け、遊技球が球量センサ２１５ｄを通過する前に静電気を除去するようにすれば、上述の効果に加え、静電気による球量センサ２１５ｄへの影響を防止することができる。
【００９９】
また、揚送装置２２０と対向する裏面側へ折り曲げられた揚送部材用取付部２７１ｅには、後方の端部から後方へ延出するように導電性の材質からなるブラシ状の揚送部材静電気除去部材２７２が設けられている。このブラシ状の揚送部材静電気除去部材２７２は、導電性の材質からなる可撓性を有する線状の部材が、揚送部材用取付部の延出方向（前後方向）に沿って延在する状態で、上下方向に並ぶように複数配されることで構成されており、垂直方向に沿った接触面を形成している。この揚送部材静電気除去部材２７２は、流路ユニット２１０の後方に配される揚送装置２２０における、揚送部形成部２２６の前側の貫通口から露出した揚送部材２３０の周面に、複数の線状の部材で構成される接触面が接触するようになっている。なお、この揚送部材静電気除去部材２７２も、可撓性を有するとともにブラシ状に形成されていることから、揚送部材２３０の回転を妨げることがなく、かつ、動作する部材に対する接触効率を高めることができ、確実に広い接触面積で揚送部材２３０と接触可能となっている。この揚送部材静電気除去部材２７２より、導電性の材質からなる揚送部材２３０に帯電していた静電気を除去できるとともに、揚送部材２３０に接触する遊技球に帯電していた静電気も除去でき、より球磨きの効果を高めることができる。
【０１００】
すなわち、静電気除去手段２７０は、揚送部材２３０に接触する揚送部材静電気除去部材２７２を備え、該揚送部材静電気除去部材２７２を導電性の材質からなるブラシで構成したこととなる。
【０１０１】
また、遊技に供された遊技球を回収する回収流路２１４と発射装置６０に遊技球を供給する供給流路２１５を有する流路構成部材（流路ユニット２１０）を備え、揚送装置２２０は、流路構成部材に隣設されて、回収流路２１４から導入した遊技球を揚送して供給流路２１５に導出するように構成され、静電気除去手段２７０は、流路構成部材と揚送装置２２０の間に、揚送部材静電気除去部材２７２を電気的に接続するように備えた導電性プレート２７１を備え、導電性プレート２７１に、回収流路２１４に臨んで回収球の静電気を除去する回収球用静電気除去部材２７３と、供給流路２１５に臨んで供給球の静電気を除去する供給球用静電気除去部材２７４と、を電気的に接続するように備えたこととなる。
【０１０２】
また、平板部２７１ａの裏面側から見た右側部には、封入球循環装置２００の外部に接続する接続部２７１ｆが形成されている。この接続部２７１ｆは、流路ユニット２１０と対向する前面側に折り曲げられ、さらに、前端部が平板部２７１ａと平行になるように外側へ折り曲げられている。このように形成された接続部２７１ｆは、流路ユニット２１０の裏面側から見た右側部に形成された凹状の窪みである接続部配設部２１８に配設されるようになっていて、前端部が前壁部材２１１の前端と略等しい前後位置に配されるようになっている。
【０１０３】
また、接続部２７１ｆの前端面には、導電性の材質からなる接続部材２７１ｇが設けられており、この接続部材２７１ｇが、封入球循環装置２００を取り付ける前面枠本体１３０の下部に形成された金属製の取付盤１３５と電気的に接続するようになっている。この接続部材２７１ｇは、略四角柱状の弾性部材としてのウレタンフォームの周囲を被覆部材としての導電性繊維で被覆したもので、一般的にガスケットとして使用されるものである。そして、接続部材２７１ｇは、被覆部材で被覆された一側面が、接続部２７１ｆの前端に導電性の両面テープによって貼り付けられることで取り付けられている。このように、接続部２７１ｆの前端に弾性を有する接続部材２７１ｇを取り付けたことで、静電気除去手段２７０と取付盤１３５とが確実に電気的に接続される。
【０１０４】
そして、上述したように、前面枠本体１３０の取付盤１３５は前面枠本体１３０の下部ヒンジ部本体１３４と電気的に接続し、下部ヒンジ部本体１３４は本体枠１１０のヒンジ部１１１と電気的に接続している。さらに、本体枠１１０のヒンジ部１１１は本体枠１１０の外周を構成する金属製の部分に電気的に接続している。よって、本体枠１１０の外周を構成する金属製の部分を、島設備に設けられたアースに接続することで、封入球循環装置２００の静電気を外部に逃がすことができる。なお、封入球式遊技機１００が島設備などの外部のアースと接続されていなくても遊技球の静電気の帯電量を軽減することが可能である。
【０１０５】
以上のように、静電気除去手段２７０は、導電性プレート２７１に複数の静電気除去部材を備えることで、循環経路内の遊技球に対して複数箇所で静電気を除去でき、極めて効率の高い帯電防止対策となる。また、一つの導電性プレート２７１に揚送部材静電気除去部材２７２と、回収球用静電気除去部材２７３と、供給球用静電気除去部材２７４と、を備えたので、外部のアースと接続する部分を接続部２７１ｆの一ヶ所に集約できる。また、導電性プレート２７１を一定の強度を有するものにすれば、封入球循環装置２００全体の強度を高めることができる。また、揚送部２２３を含む球磨き部に対して循環経路内に配された遊技球を検出する各種センサ等をシールドすることも可能となる。
【０１０６】
すなわち、発射装置６０から発射された遊技球を回収し、該回収した遊技球を再び該発射装置６０に供給することで遊技球を循環使用する封入球式遊技機１００において、回収した遊技球を発射装置６０に供給するために上方に揚送する揚送部材２３０を有する揚送装置２２０と、揚送装置２２０により揚送される遊技球を磨く球磨き装置２５０と、揚送部材２３０に電気的に接触して当該揚送部材２３０の静電気を除去する静電気除去手段２７０と、を備えたこととなる。
【０１０７】
揚送装置２２０の後方に配される球磨き装置２５０は、図１９，２０に示すように、各種部材を取り付ける本体部２５１と、遊技球を磨く球磨き部材２６１と、使用済みの球磨き部材２６１を交換、回収する巻き取り手段２６０と、後方開口２３７から露出する遊技球に球磨き部材２６１を押し付ける押圧手段２９０とを備える。この球磨き装置２５０は、本体部２５１の一側部に軸受部２５３，２５３が形成され、軸受部２５３，２５３が揚送装置２２０の背面に形成された支持部２３８の支持軸２３８ａ，２３８ａに回動可能に軸支されている。また、本体部２５１にはねじ孔を有する固定部２５７が形成され、固定部２５７を被固定部２４５に固定することで揚送装置２２０の後方に固定されるようになっている。
【０１０８】
本体部２５１における揚送装置２２０と対向する前面の中央部には、押圧手段２９０が配されている。この押圧手段２９０は、後方開口２３７から露出する遊技球に球磨き部材２６１を押し付けるための押圧部材２９１と、該押圧部材２９１を保持するとともに本体部２５１に取り付けるための押圧部材配設部２９２とを備える。
【０１０９】
押圧部材２９１は、後方開口２３７をちょうど覆うことのできる大きさの矩形状をした球磨き部２９１ａと、該球磨き部２９１ａの側部に形成され、押圧部材配設部２９２に取り付けるための取付部２９１ｂ，２９１ｂ，…が形成されている。このうち球磨き部２９１ａは、球磨き装置２５０を揚送装置２２０の裏面に取り付けた際に、ちょうど揚送部２２３の後方開口２３７に臨むようになっている。すなわち、球磨き部２９１ａは、その前面が揚送部２２３の後側の壁面をなす。また、球磨き部２９１ａの前面には、帯状の球磨き部材２６１が配設される。取付部２９１ｂ，２９１ｂ，…は、球磨き部２９１ａの両側部に二つずつ、それぞれ球磨き部２９１ａの側方へ延出するように形成されている。各取付部２９１ｂにおける延出方向の端部には、球磨き部２９１ａにおける後方開口２３７と対向する面に対して垂直に後方へ延出するガイド軸２９１ｃが形成されている。
【０１１０】
押圧部材配設部２９２はねじ孔を有する固定部２９２ｂを備え、該固定部２９２ｂを本体部２５１に形成された押圧手段固定部２５２にねじにより固定することで、押圧手段２９０が本体部２５１に取り付けられるようになっている。また、押圧部材配設部２９２には、ガイド軸２９１ｃの位置に対応して該ガイド軸２９１ｃを挿通可能な前後に貫通する挿通孔２９２ａが形成されている。そして、押圧部材２９１は、ガイド軸２９１ｃを押圧部材配設部２９２に形成された挿通孔２９２ａに前側から挿通し、押圧部材配設部２９２の後方に貫通したガイド軸２９１ｃの後端部に、挿通孔２９２ａの径よりも大きい径を有する抜け止め部材（図示略）を取り付けることで、押圧部材配設部２９２に対して前後動可能に取り付けられるようになっている。
【０１１１】
さらに、各ガイド軸２９１ｃには付勢部材としての圧縮コイルばね（図示略）が挿通され、この圧縮コイルばねが押圧部材配設部２９２と取付部２９１ｂの間に配されるようになっている。そして、この圧縮コイルばねは、一端が取付部２９１ｂの後面に当接するとともに他端が押圧部材配設部２９２の前面に当接し、押圧部材２９１を押圧部材配設部２９２に対して前方へ（押圧部材配設部２９２と球磨き部２９１ａを離す方向へ）付勢する。これにより、揚送部２２３内の遊技球が、前側に配された揚送部材２３０に押し付けられ、揚送部材２３０による上方への揚送が可能となる。また、球磨き部２９１ａの前面に配設された球磨き部材２６１が、揚送部２２３内の遊技球に押し付けられ、揚送される遊技球が磨かれる。なお、圧縮コイルばねの付勢力は、遊技球や揚送部材２３０に過度の押圧力がかからない程度の付勢力とされている。また、球磨き部２９１ａが前後の移動範囲における前端の位置にある状態においては、揚送部２２３の前後幅、すなわち、揚送部材２３０の周面に形成された遊技球が載るらせん状の溝２３２から球磨き部材２６１までの間隔が、遊技球の直径より狭くなるようにされている。これにより、揚送部２２３に導入された遊技球が確実に球磨き部材２６１に当接するようになっている。
【０１１２】
球磨き部材２６１は、球磨き部２９１ａの横幅と略同じ幅を有する帯状に形成されたものであって、球磨き部２９１ａの前面に配設されることで揚送部２２３の後方開口２３７から露出する遊技球に押し付けられ、揚送される遊技球の汚れをふき取るようになっている。このように遊技球の汚れをふき取る球磨き部材２６１としては、例えば、遊技球と接触する表面（摺動面）がナイロンとポリエステルとレーヨンからなり、ベースとなる裏面がポリエチレンとアクリルからなる帯状の布を用いることができる。また、所定期間使用して汚れた球磨き部材２６１を交換するために、本体部２５１における押圧部材配設部２９２の後方には、未使用の球磨き部材２６１を収納するとともに使用済みの球磨き部材２６１を収納する収納部２５６が設けられている。
【０１１３】
この収納部２５６は、球磨き装置２５０を封入球式遊技機１００に取り付けた状態で、上側となる部分が未使用の球磨き部材２６１を保持する保持部２５６ａとされている。また、下側となる部分は球磨き面２６１ａを新たな面に更新するために使用済みの球磨き部材２６１を巻き取るための巻き取りリール２６２を備えた巻き取り手段２６０が収納される巻き取り手段収納部２５６ｂとされている。これにより、効率よく球磨きに関する機構を配置することが可能となる。
【０１１４】
保持部２５６ａには、未使用の球磨き部材２６１を収容可能な保持部材２５８が取り付けられるようになっている。この保持部材２５８は、球磨き部材２６１を収容可能な後方が開口した収容空間２５８ａを有する箱型に形成されており、該収容空間２５８ａに未使用の球磨き部材２６１を収容し、本体部２５１の保持部２５６ａに対して押圧手段２９０が配される前側から挿入することで後方の開口が閉鎖され、保持部２５６ａに球磨き部材２６１を保持できるようになっている。また、保持部材２５８の側面には係合部２５８ｂが形成されており、保持部２５６ａの所定位置に挿入することで係合部２５８ｂが本体部２５１に形成された被係合部２５１ａに係合し、保持部材２５８が本体部２５１に固定されるようになっている。
【０１１５】
この保持部２５６ａに保持される未使用の球磨き部材２６１は、折りたたまれた状態で収容されていて、保持部２５６ａにリールなどを配設した場合よりも、同じ容積でより多くの球磨き部材２６１を収容できるようになっており、球磨き部材２６１を補充する回数が少なくなるようにされている。また、保持部材２５８の前面における一側端側である上部には、球磨き部材２６１を導出するスリット状の導出口２５８ｃが形成されている。そして、保持部材２５８の前面における他側端側である下部には、導出口２５８ｃから導出された球磨き部材２６１の撓みやよじれを防止する撓み防止手段３００を支持するための支持部２５８ｄが形成されている。
【０１１６】
この支持部２５８ｄに支持される撓み防止手段３００は、図２２に示すように、一端側である下端部に支持部２５８ｄにより支持される軸部３０１が形成され、他端側である上端部に球磨き部材２６１の導出方向を規制する規制部３０２が形成されている。
【０１１７】
規制部３０２には、撓み防止手段３００の一側面側（後面側）から他側面側（前面側）へ貫通するスリット状の導出開口部３０３が形成されており、この導出開口部３０３に帯状の球磨き部材２６１が挿通されるようになっている。この導出開口部３０３の内周は、挿通された球磨き部材２６１と接触する接触部３０４をなし、この接触部３０４の上辺は、中央が球磨き部材２６１側に向かって（下側に向かって）突出する湾曲形状に形成されている。また、撓み防止手段３００の中央には、下端から導出開口部３０３へかけて切欠き状に切り取られた空隙部３０５が形成されていて、この空隙部３０５により接触部３０４の下辺は中央部で途切れており、下方に突出した上辺に沿って湾曲して配される球磨き部材２６１と接触しないようにされている。
【０１１８】
導出開口部３０３の下方であって、空隙部３０５を挟んだ両側は軸部形成部３０６とされ、この軸部形成部３０６の下端には軸部３０１が形成されている。すなわち、撓み防止手段３００は全体が下方に開口した略コ字状に形成されている。軸部３０１は、スリット状の導出開口部３０３の幅方向と平行に外側へ延出するように形成された円柱状の部分で、保持部材２５８に形成された支持部２５８ｄにより回動可能に支持されるようになっている。
【０１１９】
このような撓み防止手段３００は、導出開口部３０３の位置が保持部材２５８の導出口２５８ｃや押圧部材２９１の上端よりも低い位置に配され、未使用の球磨き部材２６１が撓み防止手段３００でＶ字状に折り返すように配される。これにより球磨き部材２６１の導出方向を規制でき、球磨き部材２６１のねじれや撓みを防止できて、球磨き部材２６１が球磨き部２９１ａに整然と設置できないといった事態を防止できる。また、球磨き部材２６１が折り返されるようになるので、球磨き部材２６１に一定のテンションが加わり、遊技球の磨き効率を高めることが可能となる。
【０１２０】
また、導出開口部３０３に挿通された球磨き部材２６１は、中央が球磨き部材２６１側に向かって（下側に向かって）突出する湾曲形状に形成された接触部３０４の上辺に沿って配されるので、球磨き部材２６１の捻れを防止できるとともに、導出開口部３０３の中央に球磨き部材２６１を配設することができ、球磨き部材２６１が球磨き部２９１ａに正しく配設される。特に、保持部２５６ａでは未使用の球磨き部材２６１が折りたたまれるように収容されているので、導出される際に捻れたり撓んだりする可能性があるが、撓み防止部材３００を備えることによりこれを防止できる。
【０１２１】
さらに、撓み防止手段３００は軸部３０１を中心として、図２３に示すように略垂直な状態と、図２４に示すように前方に傾倒した状態とに回動可能となっている。このように撓み防止手段３００が回動可能であることで、撓み防止手段３００や球磨き部材２６１にかかる力の一部を逃がすことができて過度な負担がかかることがなく、効率よくスムーズに球磨き部材２６１を導出することが可能となる。さらに、導出開口部３０３の上下には複数の錘３０７が取り付けられており、この錘３０７の重量により撓み防止手段３００が前方に傾倒する方向へ付勢されるようになっている。
【０１２２】
図２１に示すように巻き取り手段２６０は、使用済みの球磨き部材２６１を巻き取るための巻き取りリール２６２と、巻き取りリール２６２の回転方向を一方向に規制する規制手段と、巻き取りリール２６２の回転軸２６５に接続された第六ギア２６３とを備える。
【０１２３】
巻き取りリール２６２および第六ギア２６３が取り付けられた回転軸２６５は、本体部２５１に形成された軸受部２５４と、該軸受部２５４に取り付けられる軸受部材２５９によって本体部２５１に対して回転可能に支持されるようになっている。これにより、本体部２５１の巻き取り手段収納部２５６ｂに巻き取り手段２６０が収納され、本体部２５１の巻き取り手段収納部２５６ｂに隣接して形成されたギア収納部２５５に第六ギア２６３が収納されるようになっている。この第六ギア２６３は球磨き装置２５０の前方側に露出するように配され、球磨き装置２５０を揚送装置２２０に取り付けることで、揚送装置２２０の下部ギアボックス２４４に配設された第五ギア２４４ｂと噛み合うようになっている。上述したように、この第五ギア２４４ｂには、揚送部材２３０を回転するモータ２３３から動力伝達装置２４０を介して動力が伝達されるようになっており、モータ２３３により巻き取り手段２６０が駆動できるようになっている。なお、図１５に示すように、下部ギアボックス２４４の側面には、回転軸２４４ｄと接続した操作部２４４ｅが設けられており、この操作部２４４ｅを手で操作することでも巻き取り手段２６０を駆動できるようになっている。
【０１２４】
図２５に示すように、巻き取りリール２６２は、回転軸２６５を軸着する軸着部２６２ａを中心に備え、回転軸２６５と同心円をなす筒状に形成された巻き取り部２６６と、巻き取り部２６６の両端に設けられ、回転軸２６５と同心円をなすとともに回転軸２６５に対して垂直な円盤状の鍔部２６７，２６８とを備えている。
【０１２５】
巻き取り部２６６は一方の鍔部２６７と一体に形成されており、回転軸２６５の延在方向に沿った幅が球磨き部材２６１の幅と略等しい幅とされている。また、巻き取り部２６６の外周には、複数の凹凸部２６６ａが形成されており、巻き取った球磨き部材２６１が滑ることを防止して効率よく巻き取ることができるようにされている。さらに、巻き取り部２６６には、球磨き部材２６１の端部を挿入可能なスリット２６６ｂが回転軸２６５の延在方向に沿って形成されている。
【０１２６】
また、巻き取り部２６６が形成された鍔部２６７と対になる他方の鍔部２６８には、巻き取り部２６６のスリット２６６ｂとともに球磨き部材２６１の端部を挟持する挟持部材２６８ａが形成されている。この挟持部材２６８ａは、鍔部２６８からの延出幅が巻き取り部２６６の回転軸２６５の延在後方に沿った幅と略等しくされており、巻き取り部２６６の周方向に沿った幅はスリット２６６ｂの周方向に沿った幅よりも狭くなっている。また、挟持部材２６８ａの外周面は、巻き取り部２６６の外周面よりもわずかに中心側に位置するとともに、周方向の端部のうち、球磨き部材２６１を巻き取る方向とは反対側の端部には、外周面が巻き取り部２６６の厚みと略等しい幅だけ中心側に位置する段部２６８ｂが形成されている。また、挟持部材２６８ａが形成された鍔部２６８には、巻き取り部２６６に形成されたねじ止め部２６６ｃと対応する位置にねじ２６９ａを挿通可能なねじ孔２６８ｃが形成されている。このねじ孔２６８ｃは、挟持部材２６８ａが球磨き部材２６１の端部を挟持する位置に配された状態でねじ止め部２６６ｃと一致するような位置に形成されている。また、挟持部材２６８ａが形成された鍔部２６８の外周には、規制手段としてのラチェット機構の一部をなすラチェット歯車２６８ｄが形成されている。
【０１２７】
このような巻き取りリール２６２を組み立てる際には、まず、スリット２６６ｂに挟持部材２６８ａを挿入するように両方の鍔部２６７，２６８が対向するように組み付け、球磨き部材２６１の端部をスリット２６６ｂに挿入する。このとき、挟持部材２６８ａの段部２６８ｂが形成された側に球磨き部材２６１の端部を挿入するようにし、挟持部材２６８ａとスリット２６６ｂの端部とで球磨き部材２６１を挟持する方向へ一方の鍔部２６８を他方の鍔部２６７に対して回転させる。これによりねじ孔２６８ｃとねじ止め部２６６ｃが一致するようになり、この位置でねじ２６９ａにより固定することで、巻き取りリール２６２が組み立てられるとともに球磨き部材２６１の端部が巻き取りリール２６２に固定される。すなわち、ねじ止め部２６６ｃ、ねじ孔２６８ｃ、ねじ２６９ａが鍔部２６８を巻き取り部２６６に固定する固定手段２６９をなす。なお、固定手段２６９は、このようにねじ止め部２６６ｃを備えねじ２６９ａにより固定するものの他、係合部と被係合部を備えるものなどなんでも良い。
【０１２８】
このような巻き取りリール２６２を備えることで、球磨き部材２６１を巻き取って容易に球磨き面２６１ａを更新することが可能となり、球磨き部材２６１が汚れた場合でも直ぐに交換する必要がなくなって作業を軽減できる。また、上述のように巻き取り部２６６の一方側から鍔部２６８の挟持部材２６８ａをスリット２６６ｂに挿入し、該鍔部２６８を所定方向に回転させて球磨き部材２６１の端部を挟持する位置で、固定手段２６９により当該鍔部２６８を巻き取り部２６６に固定することで球磨き部材２６１が巻き取り部２６６に取り付けられるので、球磨き部材２６１の固定作業が簡単であり、球磨き部材２６１の交換作業が容易になる。また、球磨き部材２６１を巻き取りリール２６２に固定する機能を簡単な機構で実現することができる。すなわち、巻き取りリール２６２と球磨き部材２６１を固定する機構が一体となっていることから、球磨き装置２５０の大型化の防止、コスト低減、故障の防止、等の効果が得られる。
【０１２９】
以上のことから、球磨き装置２５０は、球磨き面２６１ａを新たな面に更新するために球磨き部材２６１を巻き取る巻き取りリール２６２を備え、球磨き部２９１ａの上部に保持部２５６ａを配置するとともに該球磨き部２９１ａの下部に巻き取りリール２６２を配置するようにしたこととなる。
【０１３０】
また、発射装置６０から発射された遊技球を回収し、該回収した遊技球を再び該発射装置６０に供給することで遊技球を循環使用する封入球式遊技機１００において、循環経路内の遊技球を摺動させながら磨く帯状の球磨き部材２６１を有するとともに、遊技球に接する球磨き面２６１ａを新たな面に更新するための機能を有する球磨き装置２５０を備え、球磨き装置２５０は、球磨き面２６１ａを新たな面に更新するために球磨き部材２６１を巻き取る巻き取りリール２６２を備え、巻き取りリール２６２は、巻き取り用の回転軸２６５に軸着されて球磨き部材２６１を巻き取るための筒状の巻き取り部２６６と、巻き取り部２６６の両端に設けられる鍔部２６７，２６８と、を備え、巻き取り部２６６には、球磨き部材２６１の端部を挿入するためのスリット２６６ｂが回転軸２６５方向に形成され、巻き取り部２６６の両端部に設けられる鍔部２６７，２６８の少なくとも一方を、該巻き取り部２６６に対して着脱可能に構成するとともに、当該鍔部２６８にスリット２６６ｂに対して挿入されて球磨き部材２６１の端部を挟持するための挟持部材２６８ａを形成し、巻き取り部２６６の一方側から鍔部２６８の挟持部材２６８ａをスリット２６６ｂに挿入し、該鍔部２６８を所定方向に回転させて球磨き部材２６１の端部を挟持する位置で、当該鍔部２６８を巻き取り部２６６に固定する固定手段２６９を備えたこととなる。また、巻き取り部２６６に凹凸部２６６ａを形成したこととなる。
【０１３１】
図２１に示すように、本体部２５１の巻き取り手段収納部２５６ｂには、ラチェット歯車２６８ｄが形成された鍔部２６８が位置する部分に、規制手段としてのラチェット機構の一部をなす爪部材２６４が設けられている。爪部材２６４は、本体部２５１および本体部２５１に取り付けられるカバー部材２５１ｂにより回動可能に軸支される軸着部２６４ａと、該軸着部２６４ａを挟んで一端側に形成され、ラチェット歯車２６８ｄと係合可能な係合部２６４ｂと、他端側に形成された錘をなすウエイト部２６４ｃと、を備える。
【０１３２】
このような爪部材２６４は、封入球循環装置２００を遊技機１００に取り付けた状態では、図２６に示すように、ウエイト部２６４ｃの重さにより係合部２６４ｂが軸着部２６４ａを中心として巻き取りリール２６２側へ付勢されるようになっている。よって、係合部２６４ｂがラチェット歯車２６８ｄに係合可能となり、巻き取りリール２６２の回転方向を、球磨き部材２６１を巻き取る一方向に規制するようになっている。巻き取りリール２６２は球磨き部２９１ａの下端から導出された使用済みの球磨き部材２６１を巻き取るものであり、また、揚送路２２１における遊技球の揚送方向は、球磨き部２９１ａの下端から上端へ向かう方向となっている。よって、遊技球の揚送に伴い、球磨き部材２６１には巻き取りリール２６２から使用済みの球磨き部材２６１を引き出すような方向に力がかかることとなるが、規制手段をなすラチェット機構を備えることで、巻き取りリール２６２の逆回転を防止できる。また、巻き取りリール２６２の逆回転が防止されることで、遊技球の揚送に伴って球磨き部２９１ａに配された球磨き部材２６１には張力が加わることとなるので、球磨き部２９１ａで球磨き部材２６１が撓むことを防止できる。
【０１３３】
また、この爪部材２６４は、球磨き装置２５０を封入球循環装置２００から取り外して上下を逆にすると、図２７に示すように、ウエイト部２６４ｃの重さにより係合部２６４ｂが軸着部２６４ａを中心として巻き取りリール２６２から離れる方向へ付勢されるようになっている。よって、係合部２６４ｂがラチェット歯車２６８ｄに係合しない状態となり、巻き取りリール２６２をいずれの方向へも回転可能な状態となる。これにより、球磨き装置２５０を逆向きにすれば、巻き取りリール２６２逆回転の防止機構を解除するも可能となり、例えば、余分に球磨き部材２６１が巻き取られた際に球磨き部材２６１を元に戻すことや、使用済みの球磨き部材２６１を取り出すことが簡単に可能となる。
【０１３４】
以上のような構成によって、球磨き部材２６１が後方開口２３７に臨むように配されるとともに、球磨き部材２６１の球磨き面２６１ａが汚れた場合には新たな球磨き面２６１ａに更新することが可能となる。保持部２５６ａに保持された未使用の球磨き部材２６１は、保持部材２５８の導出口２５８ｃから導出され、撓み防止手段３００の導出開口部３０３を通って、押圧部材２９１の上端へ至る。そして、押圧部材２９１の上端から下端へかけて球磨き部２９１ａの前面を覆うように配され、揚送経路内の遊技球に当接することで、揚送される遊技球を磨くことが可能となる。さらに、球磨き部２９１ａで使用された使用済みの球磨き部材２６１は、押圧部材２９１の下端から押圧部材２９１に形成された保持用スリット２９３を通って巻き取り手段２６０の巻き取りリール２６２に巻き取られるようになっている。
【０１３５】
以上のことから、発射装置６０から発射された遊技球を回収し、該回収した遊技球を再び該発射装置６０に供給することで遊技球を循環使用する封入球式遊技機１００において、循環経路内の遊技球を摺動させながら磨く帯状の球磨き部材２６１を有するとともに、遊技球に接する球磨き面２６１ａを新たな面に更新するための機能を有する球磨き装置２５０を備え、球磨き装置２５０は、球磨き部材２６１を遊技球に対して当接させる球磨き部２９１ａと、新たな球磨き部材２６１を保持する保持部２５６ａとの間に設けられ、該球磨き部材２６１の撓みを防止する撓み防止手段３００を備え、撓み防止手段３００は、保持部２５６ａと球磨き部２９１ａとの間で球磨き部材２６１が折り返されるように当該球磨き部材２６１の導出方向を規制する規制部３０２を備え、該規制部３０２における該球磨き部材２６１との接触部３０４を、球磨き部材２６１の幅方向に沿って中央が球磨き部材２６１側に突出した湾曲形状に形成したこととなる。
【０１３６】
また、撓み防止手段３００は、一端側が軸着されて他端部側が回動可能に構成され、該他端側に規制部３０４としての球磨き部材２６１を通す導出開口部３０３を形成したこととなる。
【０１３７】
また、挟持部材２６８ａを有する鍔部２６８に、ラチェット歯車２６８ｄを形成するとともに、該ラチェット歯車２６８ｄに係合する爪部材２６４を設け、爪部材２６４は、軸着部２６４ａを挟んで一端側に係合部２６４ｂを備えるとともに他端側に錘をなすウエイト部２６４ｃを備え、該ウエイト部２６４ｃの作用により球磨き装置２５０の使用時においては係合部２６４ｂがラチェット歯車２６８ｄに係合する方向に回動し、該球磨き装置２５０を使用時とは逆向きにした場合には、係合状態が解除する方向に回動するように構成したこととなる。
【０１３８】
また、発射装置６０から発射された遊技球を回収し、該回収した遊技球を再び該発射装置６０に供給することで遊技球を循環使用する封入球式遊技機１００において、回収した遊技球を発射装置６０に供給するために揚送する揚送部材２３０と、揚送部材２３０を駆動させるための駆動源（モータ２３３）と、揚送部材２３０により揚送される遊技球に接することで当該遊技球を磨く球磨き部材２６１を有する球磨き装置２５０と、を備え、球磨き装置２５０は、動力伝達装置２４０を介して伝達された駆動源の駆動力により、球磨き部材２６１の遊技球と接する接触面（球磨き面２９１ａ）を変更可能に構成され、動力伝達装置２４０は、駆動源の駆動方向が、遊技球の揚送が可能となるように揚送部材２３０を駆動する正方向である場合に、球磨き装置２５０への動力の伝達を遮断する一方、駆動源の駆動方向が逆方向である場合に、球磨き装置２５０へ球磨き部材２６１の接触面を変更するための動力を伝達する動力制御手段２４１を備えたこととなる。
【０１３９】
以上のように構成される封入球循環装置２００によって、遊技球を循環して使用可能となるとともに、循環される遊技球が発射装置６０へ移送される途中で磨かれることとなる。遊技球は、発射装置６０から遊技領域１ａへ向かって発射された後、封入球循環装置２００に回収され、左右に蛇行した回収流路２１４を流下する。このとき、流下する遊技球が回収球センサ２１４ｄに検出されることで、回収された遊技球の数が計数されるようになっている。また、流下する遊技球は回収流路２１４に臨む回収球用静電気除去部材２７３に接触し、静電気が除去されるようになっている。そして、回収流路２１４を流下した遊技球は、流路ユニット２１０の下端に形成された流出口２１４ｂから揚送装置２２０の揚送路２２１の下部誘導部２２２に流入する。
【０１４０】
下部誘導部２２２に流入した遊技球は、傾斜に沿って流下して揚送部２２３の下端部に至り、ここで揚送部材２３０の溝２３２に嵌る。このとき、揚送部２２３の下端部に流入した遊技球は、下部誘導部２２２と対向するように形成された下部湾曲部２２３ｃによって上方向に誘導されるとともに、下部誘導板２３４により揚送部材２３０側へ誘導される。これにより、遊技球が確実に揚送部２２３へ導入され、揚送部材２３０の溝２３２に嵌るようになっている。そして、揚送部材２３０の回転に伴って溝２３２が上方へ移動することに伴い、遊技球は上方へ揚送される。
【０１４１】
揚送部材２３０により下部誘導板２３４よりも上方へ揚送されると、揚送部２２３の後方開口２３７に臨む球磨き部材２６１が遊技球に当接するようになる。この球磨き部材２６１は、後方から押圧部材２９１によって押圧されて揚送部２２３を揚送される遊技球に押し付けられるようになっている。上述したように揚送部２２３においては、溝２３２から球磨き部材２６１までの間隔が遊技球の直径よりも狭くなるように付勢されており、揚送部２２３内の遊技球は、球磨き部材２６１に摺接して磨かれながら上方へ揚送される。また、揚送部材２３０は導電性の材質からなるとともに、揚送部材静電気除去部材２７２に接触しており、揚送部材２３０と遊技球の摩擦や、球磨き部材２６１と遊技球の摩擦などで発生し、揚送部材２３０や遊技球に帯電した静電気を除去できるようになっている。
【０１４２】
このように揚送装置２２０によって磨かれて揚送部２２３の上端部に至った遊技球は、上部湾曲部２２３ｄ、上部誘導板２３５に誘導されて上部誘導部２２４に流入する。そして、上部誘導部２２４の傾斜に沿って前方へ誘導されて揚送装置２２０の前端に形成された流出口２２４ａから導出され、流路ユニット２１０の裏面に形成された流入口２１５ａから供給流路２１５へ流入する。供給流路２１５を流下した遊技球は、流路ユニット２１０の前面に形成された流出口２１５ｂから発射装置６０の前方供給流路６１に誘導され、再び発射装置６０に送られる。また、供給流路２１５を流下する遊技球は供給流路２１５に臨む供給球用静電気除去部材２７４に接触し、静電気が除去されるようになっている。
【０１４３】
なお、供給流路２１５と前方供給流路６１には常に遊技球が待機した状態となるように、揚送部材２３０による遊技球の揚送速度は、発射装置６０への遊技球の供給速度よりも若干速くされ、供給流路２１５で待機する遊技球が不足することがないようにされている。また、常に供給流路２１５、前方供給流路６１に所定量の遊技球が待機した状態とするために、供給流路２１５の上流側部分には、その位置における遊技球の有無を検出する球量センサ２１５ｄが設けられている。このような球量センサ２１５ｄを設けることで、供給流路２１５に遊技球が十分に供給されて球量センサ２１５ｄが設けられた位置まで遊技球で満たされ、球量センサ２１５ｄで遊技球の存在を検出した場合は、モータ２３３の駆動を停止する処理がなされて回収流路２１４からの遊技球の揚送が停止される。また、供給流路２１５、前方供給流路６１の遊技球が発射装置６０に供給されて減少し、球量センサ２１５ｄで遊技球の存在を検出しなくなった場合は、モータ２３３を駆動する処理がなされて遊技球が回収流路２１４から揚送されるようになっている。
【０１４４】
また、球磨き装置２５０は、封入球式遊技機１００の使用時（遊技球の揚送時）では、揚送部２２３において遊技球を上方へ揚送する方向へ揚送部材２３０を回転させるようにモータ２３３を回転（モータ２３３を正方向に回転）するので、動力伝達装置２４０に設けられた動力制御手段２４１において動力の伝達が遮断され、下部ギアボックス２４４に動力が伝達されないようになっている。すなわち、遊技球を上方へ揚送する状態においては、巻き取り手段２６０は動作しないようになっている。また、このときは、規制手段をなすラチェット機構により巻き取りリール２６２が球磨き部材２６１を巻き取る方向とは反対の方向へは回転できないように規制されており、巻き取った使用済みの球磨き部材２６１が緩んだり、逆方向へ引き出されたりすることが防止される。また、撓み防止手段３００は、図２３に示すように自重により前方へ傾倒した状態となるので、球磨き部材２６１が導出開口部３０３の前面で略直角に屈曲するようになり、未使用の球磨き部材２６１が保持部２５６ａから引き出されることが防止される。さらに、撓み防止手段３００が前方へ傾倒することで、球磨き部材２６１が球磨き部２９１ａの上端から下方へ引っ張られるようになるので、球磨き部２９１ａでの球磨き部材２６１の撓みが防止される。
【０１４５】
そして、球磨き部材２６１を所定期間使用したことで球磨き面２６１ａが汚れた場合は、巻き取り手段２６０により球磨き部材２６１を巻き取り、未使用の球磨き部材２６１が揚送部２２３に臨むように更新する。この球磨き部材２６１を更新する所定期間は、例えば、所定数の遊技球が揚送部２２３を通る期間であって、回収球センサ２１４ｄでの遊技球の検出数に基づき揚送部２２３を通る球数を計測し、所定数の遊技球が通過した場合に球磨き部材２６１の球磨き面２６１ａを更新するように制御されている。なお、揚送部２２３を通る球数の計測は、球量センサ２１５ｄや供給球検出センサなどでの遊技球の検出数に基づいて行うようにしてもよい。また、所定時間ごとに更新するようにしても良いし、係員の操作に基づき更新するようにしても良い。
【０１４６】
この球磨き部材２６１の更新時には、揚送部２２３において遊技球を上方へ揚送するように揚送部材２３０を回転させる方向とは逆方向にモータ２３３を回転（モータ２３３を逆方向に回転）する。これにより、動力伝達装置２４０を介して下部ギアボックス２４４に動力が伝達され、下部ギアボックス２４４の裏面に露出した第五ギア２４４ｂが回転する。そして、第五ギアと噛み合う巻き取り手段２６０の第六ギア２６３が連動して回転して、巻き取り手段２６０が動作し、球磨き部材２６１が更新されるようになっている。なお、規制手段をなすラチェット機構は、巻き取りリール２６２が球磨き部材２６１を巻き取る方向へは回転可能としているので、第六ギア２６３の回転に伴い巻き取りリール２６２が回転し、球磨き部材２６１が巻き取られるようになっている。
【０１４７】
またこのとき、撓み防止手段３００は、球磨き部材２６１が引っ張られることで、図２４に示すような略垂直な状態となり、未使用の球磨き部材２６１を保持部２５６ａから引き出すことが可能となる。また、導出開口部３０３の上辺が下方に突出した湾曲形状とされているので、球磨き部材２６１が捻れることなく引き出される。そして、モータ２３３を停止することで、図２３に示すように撓み防止手段３００が再び自重により前方へ傾倒した状態となり、未使用の球磨き部材２６１が保持部２５６ａから引き出されることが防止されるとともに球磨き部２９１ａでの球磨き部材２６１の撓みが防止される。
【０１４８】
なお、球磨き装置２５０には、未使用の球磨き部材２６１が無くなったことを検出する検出センサ（図示略）が設けられており、該検出センサによる検出に基づき、所定の報知（例えば、ＬＣＤパネル１１３への表示や遊技機外部の管理装置（ホールコンピュータ）への情報の出力）が行われるようになっている。また、上述したように揚送装置２２０の球磨き装置検出スイッチ２３６によっても未使用の球磨き部材２６１が無くなったことを検出できるようになっている。
【０１４９】
そして、未使用の球磨き部材２６１が無くなった場合は、保持部２５６ａに新たな未使用の球磨き部材２６１を補充するとともに、巻き取り手段２６０の巻き取りリール２６２を新しいものに交換することで補充することができる。上述したように球磨き装置２５０は、一側部に形成された軸受部２５３，２５３が支持部２３８に回動可能に軸支されているので、固定部２５７の被固定部２４５への固定を解除することで揚送装置２２０の後方に扉状に開くことができ、球磨き部材２６１の補充作業を容易に行うことができる。また、軸受部２５３，２５３を軸支する支持部２３８に形成された支持軸２３８ａ，２３８ａは、揚送部２２３の延在方向に沿って上方へ延出するように形成された所定の長さを有するものであり、軸受部２５３，２５３を上方へスライドさせることで、容易に支持軸２３８ａ，２３８ａからはずすことができる。よって、未使用の球磨き部材２６１が無くなった場合には、球磨き装置２５０自体を交換するようにしても良い。また、取り外した球磨き装置２５０の上下を逆にすれば、規制手段をなすラチェット機構による巻き取りリール２６２の回転方向の規制が解除されるので、巻き取られた使用済みの球磨き部材２６１を容易に取り出すことも可能である。
【０１５０】
なお、以上の実施形態の封入球式遊技機１００においては、揚送部材２３０は、スパイラル歯車状の部材としたが、ベルトやスプロケット等を備えるものとしても良い。また、球磨き部材２６１は、遊技球の汚れを拭き取って磨くものであれば、布、紙に限られずなんでもよい。また、押圧部材２９１を付勢する付勢部材として圧縮コイルばねを用いたがこれに限られるものではなく、他の種類のばねやゴムなどの弾性を有するものであれば良い。また、静電気除去部材２７２，２７３，２７４は、金属製としたが、導電性を有する繊維などでも良い。また、静電気除去部材２７２，２７３，２７４の形状をブラシ状としたが、遊技球の流下や揚送部材２３０の動作を妨げず、かつ、確実に接触できるような形状であれば良く、紐状、鎖状、シート状など何でも良い。また、静電気除去手段２７０と取付盤１３５とを電気的に接続する接続部材２７１ｇとしては、例えば、金属製のばね、導電性のゴムやプラスチック、電子機器のＥＭＩ（電磁妨害）対策に用いられる導電性のガスケットを用いることができる。
【０１５１】
また、導出開口部３０３に挿通された球磨き部材２６１と接触する接触部３０４の上辺を、中央が球磨き部材２６１側に向かって（下側に向かって）突出する湾曲形状に形成されているとしたが、これに限られるものではなく、導出される帯状の球磨き部材２６１の捻れを防止できる形状であればよい。
また、未使用の球磨き部材２６１を保持する保持部２５６ａは、単なる空間部の他、リール等の巻き取り装置を設けたものでも良い。
【０１５２】
以上のような封入球式遊技機１００は、発射装置６０から発射された遊技球を回収し、該回収した遊技球を再び該発射装置６０に供給することで遊技球を循環使用する封入球式遊技機１００であって、循環経路内の遊技球を摺動させながら磨く帯状の球磨き部材２６１を有するとともに、遊技球に接する球磨き面２６１ａを新たな面に更新するための機能を有する球磨き装置２５０を備え、球磨き装置２５０は、球磨き部材２６１を遊技球に対して当接させる球磨き部２９１ａと、新たな球磨き部材２６１を保持する保持部２５６ａとの間に設けられ、該球磨き部材２６１の撓みを防止する撓み防止手段３００を備え、撓み防止手段３００は、保持部２５６ａと球磨き部２９１ａとの間で球磨き部材２６１が折り返されるように当該球磨き部材２６１の導出方向を規制する規制部３０２を備え、該規制部３０２における該球磨き部材２６１との接触部３０４を、球磨き部材２６１の幅方向に沿って中央が球磨き部材２６１側に突出した湾曲形状に形成している。
【０１５３】
したがって、球磨き装置２５０は、球磨き部材２６１を遊技球に対して当接させる球磨き部２９１ａと、新たな球磨き部材２６１を保持する保持部２５６ａとの間に設けられ、該球磨き部材２６１の撓みを防止する撓み防止手段３００を備え、撓み防止手段３００は保持部２５６ａと球磨き部２９１ａとの間で球磨き部材２６１が折り返されるように当該球磨き部材２６１の導出方向を規制する規制部３０２を備えるので、球磨き部材２６１の導出方向を規制でき、球磨き部材２６１のねじれや撓みを防止できて、球磨き部材２６１が球磨き部２９１ａに整然と設置できないといった事態を防止できる。また、球磨き部材２６１が折り返されるようになるので、球磨き部材２６１に一定のテンションが加わり、遊技球の磨き効率を高めることが可能となる。また、撓み防止手段３００は、規制部３０２における球磨き部材２６１との接触部３０４を、球磨き部材２６１の幅方向に沿って中央が球磨き部材２６１側に突出した湾曲形状に形成したので、球磨き部材２６１の捻れを防止でき、球磨き部材２６１が球磨き部２９１ａに正しく配設される。特に、保持部２５６ａにおいて未使用の球磨き部材２６１を折りたたむように収容した場合には、導出される際に捻れたり撓んだりする可能性があるが、撓み防止部材３００を備えることによりこれを防止できる。
【０１５４】
また、撓み防止手段３００は、一端側が軸着されて他端部側が回動可能に構成され、該他端側に規制部３０４としての球磨き部材２６１を通す導出開口部３０３を形成している。
【０１５５】
したがって、撓み防止手段３００は、一端側が軸着されて他端部側が回動可能に構成され、該他端側に規制部３０４としての球磨き部材２６１を通す導出開口部３０３を形成したので、効率よく球磨き部材２６１を導出することが可能となる。すなわち、撓み防止手段３００が回動可能であることで、撓み防止手段３００や球磨き部材２６１にかかる力の一部を逃がすことができて過度な負担がかかることがなく、効率よくスムーズに球磨き部材２６１を導出することが可能となる。
【０１５６】
また、球磨き装置２５０は、球磨き面２６１ａを新たな面に更新するために球磨き部材２６１を巻き取る巻き取りリール２６２を備え、球磨き部２９１ａの上部に保持部２５６ａを配置するとともに該球磨き部２９１ａの下部に巻き取りリール２６２を配置するようにしている。
【０１５７】
したがって、球磨き装置２５０は、球磨き面２６１ａを新たな面に更新するために球磨き部材２６１を巻き取る巻き取りリール２６２を備え、球磨き部２９１ａの上部に保持部２５６ａを配置するとともに該球磨き部２９１ａの下部に巻き取りリール２６２を配置するので、効率よく球磨きに関する機構を配置することが可能となる。
【０１５８】
なお、本発明の封入球式遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１５９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６０】
１００  封入球式遊技機
１ａ  遊技領域
６０  発射装置
２２０  揚送装置
２５０  球磨き装置
２７２  揚送部材静電気除去部材（静電気除去部材）
【図１】
2014128564.tif 000003
【図２】
2014128564.tif 000004
【図３】
2014128564.tif 000005
【図４】
2014128564.tif 000006
【図５】
2014128564.tif 000007
【図６】
2014128564.tif 000008
【図７】
2014128564.tif 000009
【図８】
2014128564.tif 000010
【図９】
2014128564.tif 000011
【図１０】
2014128564.tif 000012
【図１１】
2014128564.tif 000013
【図１２】
2014128564.tif 000014
【図１３】
2014128564.tif 000015
【図１４】
2014128564.tif 000016
【図１５】
2014128564.tif 000017
【図１６】
2014128564.tif 000018
【図１７】
2014128564.tif 000019
【図１８】
2014128564.tif 000020
【図１９】
2014128564.tif 000021
【図２０】
2014128564.tif 000022
【図２１】
2014128564.tif 000023
【図２２】
2014128564.tif 000024
【図２３】
2014128564.tif 000025
【図２４】
2014128564.tif 000026
【図２５】
2014128564.tif 000027
【図２６】
2014128564.tif 000028
【図２７】
2014128564.tif 000029